(57)【特許請求の範囲】
【請求項１】
スモールセルのための動作チャネルを選択するための方法であって、
スモールセルにおける動作チャネルとして運用、管理、および運営(OAM)ノードからダウンロードされたチャネルリストから初期チャネルを選択するステップと、
1つまたは複数のサービスされるユーザ機器(UE)によって提供される少なくとも1つのダウンリンク品質メトリックを決定するステップと、
前記1つまたは複数のサービスされるUEから受信した通信に基づいて少なくとも1つのアップリンク品質メトリックを決定するステップと、
前記少なくとも1つのダウンリンク品質メトリックおよび前記少なくとも1つのアップリンク品質メトリックをそれぞれのしきい値と比較することに少なくとも基づいて、前記スモールセルにおいて前記チャネルリストから異なる動作チャネルを選択することを決定するステップと、
前記異なる動作チャネルを選択することを決定するステップに少なくとも基づいて、前記スモールセルによってサービスされる1つまたは複数の接続モードUEを1つまたは複数の隣接セルへハンドオーバさせるステップと、
前記異なる動作チャネルを選択することを決定するステップに少なくとも基づいて、1つまたは複数のアイドルモードUEに前記1つまたは複数の隣接セルへ再選択させるために、前記スモールセルにキャンプする前記1つまたは複数のアイドルモードUEのために設定された1つまたは複数のパラメータを変更するステップと、
少なくとも、前記1つまたは複数の接続モードUEが前記1つまたは複数の隣接セルへハンドオーバされるとき、前記異なる動作チャネルを使用するように切り替えるステップと
を備える方法。
【請求項２】
前記異なる動作チャネルを選択することを決定するステップが、前記少なくとも1つのダウンリンク品質メトリックを第1のしきい値と比較し、前記少なくとも1つのアップリンク品質メトリックを第2のしきい値と比較することに基づいて1つまたは複数のUEのための干渉状態を決定することに少なくとも基づき、前記少なくとも1つのアップリンク品質メトリックを前記第2のしきい値と比較することが、前記少なくとも1つのダウンリンク品質メトリックが前記第1のしきい値未満ではないことを決定することに少なくとも基づく、請求項1に記載の方法。
【請求項３】
前記異なる動作チャネルを選択することを決定するステップが、さらに、以前の動作チャネル選択に続くイベントの発生を検出することに少なくとも基づくとともに、前記以前の動作チャネル選択に続いて初期化される設定された持続性遅延に基づく、請求項1に記載の方法。
【請求項４】
前記1つまたは複数の接続モードUEをハンドオーバさせるステップが、X2インターフェースを介して前記1つまたは複数の隣接セルとのハンドオーバをネゴシエートするステップを備える、請求項1に記載の方法。
【請求項５】
前記1つまたは複数の接続モードUEをハンドオーバさせるステップが、ハンドオーバを容易にするために測定報告を生成することに関連する1つまたは複数のイベントをトリガするための前記1つまたは複数の接続モードUEに設定される1つまたは複数のイベントパラメータを変更するステップを備える、請求項1に記載の方法。
【請求項６】
前記1つまたは複数のアイドルモードUEのために設定された前記1つまたは複数のパラメータが、ヒステリシスパラメータ、オフセットパラメータ、またはアイドルモード再選択に関連するチャネル優先度パラメータを備える、請求項1に記載の方法。
【請求項７】
前記1つまたは複数の接続モードUEから受信した1つまたは複数の測定報告から複数の動作チャネルのための信号強度測定値を決定することに少なくとも基づいて前記異なる動作チャネルを選択するステップをさらに備える、請求項1に記載の方法。
【請求項８】
前記1つまたは複数の測定報告に少なくとも基づいて隣接リストを定義するステップと、
前記隣接リストを、前記1つまたは複数のサービスされるUEに伝達するステップと
をさらに備える、請求項7に記載の方法。
【請求項９】
スモールセルのための動作チャネルを選択するための装置であって、
スモールセルにおける動作チャネルとして運用、管理、および運営(OAM)ノードからダウンロードされたチャネルリストから初期チャネルを選択するための手段と、
1つまたは複数のサービスされるユーザ機器(UE)によって提供される少なくとも1つのダウンリンク品質メトリックを決定するための手段と、
前記1つまたは複数のサービスされるUEから受信した通信に基づいて少なくとも1つのアップリンク品質メトリックを決定するための手段と、
前記少なくとも1つのダウンリンク品質メトリックおよび前記少なくとも1つのアップリンク品質メトリックをそれぞれのしきい値と比較することに少なくとも基づいて、前記スモールセルにおいて前記チャネルリストから異なる動作チャネルを選択することを決定するための手段と、
前記異なる動作チャネルを選択することを決定することに少なくとも基づいて、前記スモールセルによってサービスされる1つまたは複数の接続モードUEを1つまたは複数の隣接セルへハンドオーバさせるための手段と、
前記異なる動作チャネルを選択することを決定することに少なくとも基づいて、1つまたは複数のアイドルモードUEに前記1つまたは複数の隣接セルへ再選択させるために、前記スモールセルにキャンプする前記1つまたは複数のアイドルモードUEのために設定された1つまたは複数のパラメータを変更するための手段と、
少なくとも、前記1つまたは複数の接続モードUEが前記1つまたは複数の隣接セルへハンドオーバされるとき、前記異なる動作チャネルを使用するように切り替えるための手段と
を備える装置。
【請求項１０】
前記少なくとも1つのダウンリンク品質メトリックを第1のしきい値と比較するための手段と、前記少なくとも1つのアップリンク品質メトリックを第2のしきい値と比較するための手段とに基づいて1つまたは複数のUEのための干渉状態を決定するための手段をさらに備え、前記少なくとも1つのアップリンク品質メトリックを前記第2のしきい値と比較するための手段が、前記少なくとも1つのダウンリンク品質メトリックが前記第1のしきい値未満ではないことを決定するための手段に少なくとも基づき、前記異なる動作チャネルを選択することを決定するための手段が、前記干渉状態に少なくとも基づいて前記異なる動作チャネルを選択することを決定する、請求項9に記載の装置。
【請求項１１】
前記決定するための手段が、以前の動作チャネル選択に続くイベントの発生を検出することに少なくとも基づくとともに、前記以前の動作チャネル選択に続いて初期化される設定された持続性遅延に基づいて、前記異なる動作チャネルを選択することを決定する、請求項9に記載の装置。
【請求項１２】
前記ハンドオーバさせるための手段が、少なくとも、X2インターフェースを介して前記1つまたは複数の隣接セルとのハンドオーバをネゴシエートすることによって、前記1つまたは複数の接続モードUEをハンドオーバさせる、請求項9に記載の装置。
【請求項１３】
前記ハンドオーバさせるための手段が、少なくとも、ハンドオーバを容易にするために測定報告を生成することに関連する1つまたは複数のイベントをトリガするための前記1つまたは複数の接続モードUEに設定される1つまたは複数のイベントパラメータを変更することによって、前記1つまたは複数の接続モードUEをハンドオーバさせる、請求項9に記載の装置。
【請求項１４】
前記1つまたは複数のアイドルモードUEのために設定された前記1つまたは複数のパラメータが、ヒステリシスパラメータ、オフセットパラメータ、またはアイドルモード再選択に関連するチャネル優先度パラメータを備える、請求項9に記載の装置。
【請求項１５】
スモールセルのための動作チャネルを選択するためのコンピュータ実行可能コードを記憶する非一時的コンピュータ可読記憶媒体であって、請求項1から8のいずれか一項に記載の方法を実行するように構成されたコードを備える、コンピュータ可読記憶媒体。
【発明の詳細な説明】
【技術分野】
【０００１】
優先権の主張
本特許出願は、2014年12月17日に出願した、「SMALL CELL CHANNEL SELECTION」と題する非仮出願第14/574,223号、および2014年5月13日に出願した「INTELLIGENT SMALL-CELL CHANNEL SELECTION THROUGH UE REPORTS」と題する仮出願第61/992,795号の優先権を主張し、それらは、本明細書の譲受人に譲渡され、参照により本明細書に明確に組み込まれている。
【０００２】
本開示の態様は、全体的には、電気通信に関し、より具体的には、スモールセルにおいて動作チャネルを選択し、利用することに関する。
【背景技術】
【０００３】
ワイヤレス通信システムは、たとえば、音声、データなどの、様々なタイプの通信コンテンツ提供するために、広く展開されている。典型的なワイヤレス通信システムは、利用可能なシステムリソース(たとえば、帯域幅、送信電力など)を共有することによって、複数のユーザとの通信をサポートすることが可能な多元接続システムであり得る。そのような多元接続システムの例は、符号分割多元接続(CDMA)システム、時分割多元接続(TDMA)システム、周波数分割多元接続(FDMA)システム、直交周波数分割多元接続(OFDMA)システムなどを含んでもよい。加えて、システムは、第3世代パートナーシッププロジェクト(3GPP)、3GPPロングタームエボリューション(LTE)、ウルトラモバイルブロードバンド(UMB)、エボリューションデータオプティマイズド(EV-DO)などの仕様に適合してもよい。
【０００４】
ワイヤレス通信システムにおける従来の基地局カバレージを補うために、追加のスモールセルが、モバイルデバイスにより堅牢なワイヤレスカバレージを提供するために展開され得る。たとえば、スモールセル(たとえば、総称してH(e)NBと呼ばれるホームNodeBまたはホームeNB、フェムトノード、ピコノード、マイクロノードなどを含み得る)は、ますます増加する収容能力の増大、より豊かなユーザ体験、建物内または他の特定の地理的カバレージ、などのために展開され得る。いくつかの構成では、そのようなスモールセルは、ブロードバンド接続(たとえば、デジタル加入者線(DSL)ルータ、ケーブルまたは他のモデムなど)を介してインターネットに接続され得、それは、携帯電話事業者のネットワークにバックホールリンクを提供し得る。この点について、スモールセルは、現在のネットワーク環境を考慮することなく、自宅、オフィスなどに配置されることが多い。
【０００５】
スモールセルは、チャネル選択(CS)プロセスを利用してもよく、CSプロセスでは、スモールセルにおけるネットワークリッスンモジュール(NLM:Network Listen Module)が、動作のための望ましいチャネル周波数を選択するなどのために、1つまたは複数の定義されたチャネル周波数における干渉を測定する。たとえば、NLMは、1つまたは複数の利用可能なチャネルにおいて周囲のスモールセルおよび他の干渉源(たとえば、マクロセルもしくは他のネットワークノード)の信号強度を測定することによって、チャネル(または周波数帯域)の干渉を測定することができ、スモールセルは、干渉量が最も少ないチャネルを選択することができる。CSプロセスはまた、LTEチャネル周波数の初期リスト、切り替えしきい値、干渉を測定するための測定間隔などを提供することができる運用、管理、および運営(OAM)設定を考慮することができる。
【０００６】
しかしながら、NLM測定を使用する際、スモールセルにおいて配置されたNLMによる受信信号強度インジケータ(RSSI)測定値および干渉に基づくので、制限がある。この点について、たとえば、スモールセルがNLMにおいて受信された隣接セルの低RSSIに基づいて動作チャネルを選択することは可能であるが、スモールセルによってサービスされるUEにおける隣接セルのRSSIは、はるかにより大きい可能性があり、したがって、UEは、動作チャネルを介してスモールセルと通信するとき、隣接セルによって干渉される可能性がある。加えて、NLM測定値を使用するチャネル選択における他の不正確さは、フェージング環境ならびに測定の時刻および持続時間に依存するRSSI測定値および分散を含む可能性がある。さらに、サービング周波数の特定のサブバンドにおける断続的な干渉はまた、NLM測定値に影響を与える可能性がある。
【発明の概要】
【課題を解決するための手段】
【０００７】
以下は、1つまたは複数の態様の基本的な理解を提供するために、そのような態様の簡略化された概要を提示する。この概要は、すべての考えられる態様の包括的な概要ではなく、すべての態様の主要な、または重要な要素を識別するものでもなければ、いずれかまたはすべての態様の範囲を定めるものでもない。その唯一の目的は、後に提示されるより詳細な説明の前置きとして、1つまたは複数の態様のいくつかの概念を簡略化された形で提示することである。
【０００８】
一例によれば、スモールセルのための動作チャネルを選択するための方法が提供される。方法は、ダウンリンク品質メトリック、アップリンク品質メトリック、またはそれらの組合せのうちの少なくとも1つに少なくとも部分的に基づいて、スモールセルにおける異なる動作チャネルを選択することを決定するステップと、異なる動作チャネルを選択するために決定するステップに少なくとも部分的に基づいて、スモールセルによってサービスされる1つまたは複数の接続モードユーザ機器(UE)を1つまたは複数の隣接セルへハンドオーバさせるステップと、1つまたは複数のアイドルモードUEに1つまたは複数の隣接セルへ再選択させるために、スモールセルにキャンプする1つまたは複数のアイドルモードUEのために設定された1つまたは複数のパラメータを変更するステップと、少なくとも、1つまたは複数の接続モードUEが1つまたは複数の隣接セルへハンドオーバされるとき、異なる動作チャネルを使用するように切り替えるステップとを含む。
【０００９】
別の態様では、スモールセルのための動作チャネルを選択するための装置が提供される。装置は、ダウンリンク品質メトリック、アップリンク品質メトリック、またはそれらの組合せのうちの少なくとも1つに少なくとも部分的に基づいて、スモールセルにおける異なる動作チャネルを選択することを決定するように構成されたチャネル選択構成要素と、異なる動作チャネルを選択するために決定することに少なくとも部分的に基づいて、スモールセルによってサービスされる1つまたは複数の接続モードUEを1つまたは複数の隣接セルへハンドオーバさせるとともに、1つまたは複数のアイドルモードUEに1つまたは複数の隣接セルへ再選択させるために、スモールセルにキャンプする1つまたは複数のアイドルモードUEのために設定された1つまたは複数のパラメータを変更するように構成されたUE移行構成要素とを含む。チャネル選択構成要素は、少なくとも、1つまたは複数の接続モードUEが1つまたは複数の隣接セルへハンドオーバされるとき、異なる動作チャネルを使用するように切り替えるようにさらに構成される。
【００１０】
さらに別の態様では、スモールセルのための動作チャネルを選択するための装置が提供される。装置は、ダウンリンク品質メトリック、アップリンク品質メトリック、またはそれらの組合せのうちの少なくとも1つに少なくとも部分的に基づいて、スモールセルにおける異なる動作チャネルを選択することを決定するための手段と、異なる動作チャネルを選択するために決定することに少なくとも部分的に基づいて、スモールセルによってサービスされる1つまたは複数の接続モードUEを1つまたは複数の隣接セルへハンドオーバさせるための手段と、1つまたは複数のアイドルモードUEに1つまたは複数の隣接セルへ再選択させるために、スモールセルにキャンプする1つまたは複数のアイドルモードUEのために設定された1つまたは複数のパラメータを変更するための手段とを含む。装置は、少なくとも、1つまたは複数の接続モードUEが1つまたは複数の隣接セルへハンドオーバされるとき、異なる動作チャネルを使用するように切り替えるための手段をさらに含む。
【００１１】
さらに別の態様では、スモールセルのための動作チャネルを選択するためのコンピュータ実行可能コードを記憶する非一時的コンピュータ可読媒体が提供され、非一時的コンピュータ可読媒体は、ダウンリンク品質メトリック、アップリンク品質メトリック、またはそれらの組合せのうちの少なくとも1つに少なくとも部分的に基づいて、スモールセルにおける異なる動作チャネルを選択することを決定するために実行可能なコードと、異なる動作チャネルを選択するために決定するステップに少なくとも部分的に基づいて、スモールセルによってサービスされる1つまたは複数の接続モードUEを1つまたは複数の隣接セルへハンドオーバさせるために実行可能なコードと、1つまたは複数のアイドルモードUEに1つまたは複数の隣接セルへ再選択させるために、スモールセルにキャンプする1つまたは複数のアイドルモードUEのために設定された1つまたは複数のパラメータを変更するために実行可能なコードとを含む。コンピュータ可読媒体は、少なくとも、1つまたは複数の接続モードUEが1つまたは複数の隣接セルへハンドオーバされるとき、異なる動作チャネルを使用するように切り替えるために実行可能なコードをさらに含む。
【００１２】
前述のおよび関連する目的の達成のために、1つまたは複数の態様は、以下で完全に説明され、特許請求の範囲において具体的に指摘される特徴を備える。以下の説明および添付図面は、1つまたは複数の態様のいくつかの例示的な特徴を詳細に記載する。これらの特徴は、様々な態様の原理が用いられ得る様々な方法のうちのいくつかしか示していないが、この説明は、すべてのそのような態様とそれらの等価物とを含むものである。
【００１３】
添付図面は、本開示の様々な態様の説明を助けるために提示され、態様の例示のためにのみ提供され、その限定のためには提供されない。
【図面の簡単な説明】
【００１４】
【図１】本明細書に記載の態様による、建物環境内の例示的なワイヤレスシステムの簡略化したブロック図である。
【図２】本明細書に記載の態様による、例示的なスモールセルの機能ブロック図である。
【図３】本明細書に記載の態様による、動作チャネルを切り替える例示的な方法を示すフロー図である。
【図４Ａ】本明細書に記載の態様による、スモールセルにおける動作チャネルを切り替えるための例示的な方法のフロー図である。
【図４Ｂ】本明細書に記載の態様による、スモールセルにおける動作チャネルを切り替えるための例示的な方法のフロー図である。
【図４Ｃ】本明細書に記載の態様による、スモールセルにおける動作チャネルを切り替えるための例示的な方法のフロー図である。
【図５】本明細書に記載の態様による、通信ノードにおいて用いられ得る構成要素のいくつかの例の簡略化したブロック図である。
【図６】本明細書に記載の態様による、ワイヤレス通信システムの簡略図である。
【図７】本明細書に記載の態様による、スモールセルを含むワイヤレス通信システムの簡略図である。
【図８】本明細書に記載の態様による、ワイヤレス通信のためのカバレージエリアを示す簡略図である。
【図９】本明細書に記載の態様による、通信構成要素のいくつかの例の簡略化したブロック図である。
【図１０】本明細書に記載の態様による、通信をサポートするために構成された装置のいくつかの例の簡略化したブロック図である。
【発明を実施するための形態】
【００１５】
添付図面に関連して以下に述べる詳細な説明は、様々な構成の説明として意図され、本明細書に記載の概念が実施され得る唯一の構成を表すものではない。詳細な説明は、様々な概念の完全な理解を提供する目的のための具体的な詳細を含む。しかしながら、これらの概念がこれらの具体的な詳細なしに実践される場合があることは当業者に明らかであろう。いくつかの場合には、周知の構成要素は、そのような概念を不明瞭にすることを避けるために、ブロック図において示される。
【００１６】
本明細書には、スモールセルのための動作チャネルを選択すること、およびスモールセルにおける動作チャネルを切り替えることに関連する様々な態様が記載される。たとえば、スモールセルは、測定されたダウンリンク(DL)またはアップリンク(UL)メトリックに基づいて、干渉状態が1つまたは複数のサービスされるユーザ機器(UE)に存在するかどうかを決定することができ、存在する場合、スモールセルは、異なる動作チャネルを決定する際に、サービスされるユーザ機器(UE)から隣接セルの信号強度測定を受信し、利用することができる。加えて、たとえば、新しい動作チャネルに切り替える際に、スモールセルは、サービスされる接続モードUEを1つもしくは複数の隣接セルへハンドオーバさせることができ、および/または、アイドルモードUEに1つもしくは複数の隣接セルへ再選択させることができる。少なくとも、接続モードUEがハンドオーバされるとき、スモールセルは、最小限の影響が接続モードUEにおけるユーザ体験に引き起こされるように、新しい動作周波数に切り替えることができる。さらに、たとえば、スモールセルにおける動作チャネルの頻繁な切り替えを防止するために、スモールセルにおいて持続性遅延が設定され得る。いずれの場合でも、スモールセルは、スモールセルによってサービスされるUEのために望ましい動作チャネルの選択を確実にするために、動作するためのチャネルを評価し続けることができる。
【００１７】
本明細書で使用される場合、「動作チャネル」という用語は、それを介してワイヤレス技術(たとえば、3GPP LTE)におけるセルが通信することができるチャネルを備えるように定義された周波数または時間リソースの一部を指すことがある。動作チャネルは、連続した周波数リソース(たとえば、周波数の「帯域」)または非連続的な周波数リソースの集合を含んでもよい。動作チャネルはまた、本明細書では、動作周波数、帯域、キャリアなどと呼ばれることがある。
【００１８】
本明細書で使用される場合、「スモールセル」という用語は、アクセスポイント、またはアクセスポイントの対応するカバレージエリアを指すことがあり、この場合のアクセスポイントは、たとえば、マクロネットワークアクセスポイントまたはマクロセルの送信電力またはカバレージエリアと比較して、比較的低い送信電力または比較的小さいカバレージを有する。たとえば、マクロセルは、限定はしないが、半径数キロメートルなどの相対的に大きな地理的エリアをカバーすることができる。対照的に、スモールセルは、限定はしないが、住居、建物、または建物の1フロアなどの、相対的に小さな地理的エリアをカバーすることができる。そのように、スモールセルは、限定はしないが、基地局(BS)、アクセスポイント、フェムトノード、フェムトセル、ピコノード、マイクロノード、Node B、進化型Node B(eNB)、ホームNode B(HNB)、またはホーム進化型Node B(HeNB)などの装置を含むことがある。したがって、本明細書で使用する「スモールセル」という用語は、マクロセルと比較して、比較的低い送信電力および/または比較的小さいカバレージエリアのセルを指す。
【００１９】
以下の説明および関連する図面において提供される本開示の態様は、特定の開示された態様に向けられている。本開示の範囲から逸脱することなく、代替の態様が考案され得る。加えて、本開示の周知の態様は、より関連する詳細を不明瞭にしないように、詳細には説明されていないことがあり、または省略されていることがある。さらに、多くの態様は、たとえば、コンピューティングデバイスの要素によって実行されるべきアクションのシーケンスの観点から説明される。本明細書に記載の様々なアクションは、特定の回路(たとえば、特定用途向け集積回路(ASIC))によって、1つまたは複数のプロセッサによって実行されるコンピュータ実行可能コードもしくは命令によって、または両方の組合せによって実行され得ることが認識されるであろう。加えて、本明細書に記載のアクションのこれらのシーケンスは、任意の形態のコンピュータ可読記憶媒体、たとえば、実行時に、関連するプロセッサに本明細書に記載の機能を実行させることになるコンピュータ実行可能コードまたは命令の対応するセットが中に記憶されている媒体の中に完全に具体化されるまたは記憶されるとみなされ得る。したがって、本開示の様々な態様は、そのすべてが特許請求の主題の範囲内にあることが意図されている多くの異なる形態において具体化され得る。加えて、本明細書に記載の態様の各々について、任意のそのような態様の対応する形態は、本明細書では、たとえば、記載のアクションを実行する「ように構成されたロジック」として説明されることがある。
【００２０】
図1は、高層/マルチユニットアパートまたはオフィスビル101内に展開された例示的なワイヤレス通信システム100を示す。システム100は、ワイヤレスネットワークへのアクセスを有する1つまたは複数のUE114を提供することができる、建物101の外側のマクロ基地局102を含む。システム100はまた、建物101の内部の様々な地点に位置する複数のスモールセル104、106、110を含む。建物ユニットのうちの1つの内部に位置するUE114は、モバイルネットワーク(図示せず)へのワイヤレスアクセスを受信するために、スモールセル104、106、110のうちの1つもしくは複数と、および/またはマクロ基地局102と通信するように構成される。
【００２１】
各スモールセル104、106、110は、1つまたは複数の無線周波数チャネルを介して通信する(たとえば、信号を送信または受信する)。さらに、スモール104、106、110は、1つまたは複数のワイヤードまたはワイヤレスバックホールリンクを介して、互いにおよび/または他のアクセスポイント(たとえば、マクロ基地局102)と通信するように構成され得る。たとえば、スモールセル104、106、110は、X2インターフェースを使用してバックホールインターフェースを介して通信し得る。複数の無線周波数(RF)チャネル(および/または帯域)が利用可能であるとき、従来的に構成されたスモールセルは、周囲のスモールセル、マクロセル、または、1つもしくは複数のチャネル上の他のノードの信号強度を測定することによって、動作チャネルを選択するように構成され得る。たとえば、スモールセル106は、測定された信号強度を生成するノードからの干渉を回避するなどのために、スモールセル106においてNLMによって測定された最低信号強度を有するチャネルを選択するように構成され得る。動作チャネルが選択されると、スモールセルは、典型的には、パワーダウンされるまで、または設定された再選択時間まで、選択されたチャネルを維持するように構成される。いくつかの例では、半日以上が、チャネル再選択の前に経過してもよい。さらに、上述のチャネル選択は、スモールセル位置における測定に基づく。図1に示すように、UE114は、UE114をサービスする所与のスモールセル(たとえば、スモールセル106)と同じ物理的位置に位置しなくてもよい。したがって、UE114の位置におけるネットワーク状態は、スモールセル106における状態と異なっていてもよい。
【００２２】
したがって、スモールセル106(および/または図1に示す他のスモールセルのいずれか)は、スモールセル106によってサービスされるUEからの情報に基づいて動作チャネルを選択するように有利に構成され得る。この点について、本明細書でさらに説明されているように、スモールセル106は、受信した測定報告に基づいて動作チャネルを選択するように決定する、アクティブおよび/またはアイドルモードUEにハンドオーバ/再選択させるためにアクティブおよび/またはアイドルモード通信パラメータを変更する、選択された動作チャネルに切り替える、などのために動作可能な通信構成要素221を含み得る。たとえば、UE114は、接続モードハンドオーバのための隣接セルを評価することの一部として、そのサービングセル(この例ではスモールセル106)に測定報告を送信することができる。たとえば、UE114は、動作チャネルにおけるサービングセルの信号強度または品質、他の動作チャネルにおける隣接セルから受信した信号の強度または品質、などを示す測定報告を送信するように構成され得る。サービスされるUEから受信した測定報告に基づいて、スモールセル106は、サービスされるUEへの干渉を軽減する動作チャネルを決定してもよい。したがって、動作チャネルの選択は、スモールセル106のNLMにおけるネットワーク状態に加えて、またはその代わりに、サービスされるUE114によって経験されるネットワーク状態を考慮してもよい。
【００２３】
サービスされるUE114によって経験される干渉は、UE114の動き、隣接セル(たとえば、スモールセル104、110)の活性化/不活性化、ネットワーク展開における他の変化などに動的に基づく可能性がある。したがって、DL/ULメトリックは、可能な切り替えのための他の動作チャネルを評価するかどうかを決定するために、スモールセル106によって測定され得および/または受信され得、UE114から受信した測定報告は、最適な動作チャネルを決定するために使用される。したがって、スモールセル106による動的な動作チャネル選択を可能にすることは、(スモールセル106ではなく)サービスされるUE114における異なる干渉状態に基づいて動作チャネルを変更することを可能にし得る。加えて、動作チャネルを切り替えるとき、スモールセル106は、接続モードUE114を隣接セルへハンドオーバさせることができ、UE114における動作チャネル切り替えの影響を最小限にするようにアイドルモードUE114に隣接セルへ再選択させることができる。一例では、本明細書でさらに説明されているように、頻繁な動作チャネルの切り替えと、したがってUE114の頻繁なハンドオーバ/再選択を防止するなどのために、スモールセル106において持続性遅延が設定され得る。
【００２４】
さらに、一例では、UE114は、スモールセル106におけるNLMとは異なる隣接セルからの信号を検出することができる可能性があるので、スモールセル106は、受信したUE114測定報告に基づいて自動隣接関係(ANR:automatic neighbor relation)を管理するように構成され得る。たとえば、スモールセル106は、1つまたは複数の他のサービスされるUEにプロビジョニングするための隣接セルの隣接リストを維持するように構成され得、隣接リストは、UE114からの測定報告に少なくとも部分的に基づいて維持される。同様に、スモールセル106は、(たとえば、スモールセル106の動作チャネルの切り替え、もしくはその他のための)隣接セルのハンドオーバ、または隣接セルの他の機能(たとえば、X2インターフェース機能)のための利用可能性を決定するために、UE114からの測定報告を利用してもよい。
【００２５】
図2は、ワイヤレスネットワークにおける動作チャネル選択を実行するためのスモールセル106を示す。スモールセル106は、実質的に、スモールセル104、110(図1)、装置504(図5)、スモールセル710A、710B(図7)、ワイヤレスデバイス910(図9)、装置1000(図10)などの、本明細書に記載の装置またはデバイスのいずれかであってもよく、またはそれを含んでもよい。スモールセル106は、スモールセル106の動作を制御するためのプロセッサ204を含み得る。プロセッサ204は、中央処理ユニット(CPU)と呼ばれることもある。読み出し専用メモリ(ROM)とランダムアクセスメモリ(RAM)の両方を含み得るメモリ206は、プロセッサ204に命令とデータとを提供し得る。メモリ206の一部はまた、不揮発性ランダムアクセスメモリ(NVRAM)を含み得る。プロセッサ204は、典型的には、メモリ206内に記憶されたプログラム命令に基づいて、論理演算と算術演算とを実行する。メモリ206内の命令は、本明細書に記載の特定の機能を実行するために実行可能であり得る。
【００２６】
プロセッサ204は、1つまたは複数のプロセッサを用いて実装される処理システムの構成要素を備えてもよく、またはそれであってもよい。1つまたは複数のプロセッサは、汎用マイクロプロセッサ、マイクロコントローラ、デジタル信号プロセッサ(DSP)、フィールドプログラマブルゲートアレイ(FPGA)、プログラマブル論理デバイス(PLD)、コントローラ、状態機械、ゲーテッドロジック(gated logic)、個別のハードウェア構成要素、専用ハードウェア有限状態機械、または、情報の計算もしくは他の操作を実行し得る任意の他の適切なエンティティのいずれかの組合せを用いて実装され得る。
【００２７】
処理システムはまた、ソフトウェアを記憶するための機械可読媒体を含み得る。ソフトウェアは、ソフトウェア、ファームウェア、ミドルウェア、マイクロコード、ハードウェア記述言語、またはその他と称されようと、任意のタイプの命令を意味するものと広義に解釈されるべきである。命令は、コード(たとえば、ソースコード形式、バイナリコード形式、実行可能コード形式、または任意の他の適切なコードの形式にある)を含み得る。命令は、1つまたは複数のプロセッサによって実行されたとき、処理システムに、本明細書に記載の様々な方法を実行させる。
【００２８】
スモールセル106はまた、スモールセル106とUE114(図1)などのリモートネットワークノードとの間のデータの送受信を可能にするために送信機210および/または受信機212を含み得るハウジング208を含み得る。送信機210および受信機212は、トランシーバ214に結合され得る。アンテナ216は、ハウジング208に取り付けられ得、信号を送受信することを容易にするためにトランシーバ214に電気的に結合され得る。スモールセル106はまた、複数の送信機、複数の受信機、複数トランシーバ、および/または複数のアンテナを含み得る(図示せず)。
【００２９】
スモールセル106はまた、トランシーバ214によって受信された信号のレベルを検出し、定量化するために使用され得る信号検出器218を含み得る。信号検出器218は、総エネルギー、シンボルあたりのサブキャリアあたりのエネルギー、電力スペクトル密度、および他の信号として、そのような信号を検出し得る。スモールセル106はまた、信号を処理する際に使用するためのデジタル信号プロセッサ(DSP)220を含み得る。DSP220は、送信するためのパケットを生成するように構成され得る。
【００３０】
スモールセル106はまた、受信した測定報告に基づいて動作チャネルを選択することを決定すること、アクティブおよび/またはアイドルモードUEにハンドオーバ/再選択させるためにアクティブおよび/またはアイドルモード通信パラメータを変更すること、選択された動作チャネルに切り替えること、などのために動作可能な通信構成要素221を含み得る。たとえば、通信構成要素221は、ネットワーク監視構成要素222を含み得る。ネットワーク監視構成要素222は、(たとえば、受信機212によって受信されたUE114からの信号を介して)サービスされるUE114から特定のDL品質メトリックを受信する、および/または、サービスされるUE114から受信した信号から特定のUL品質メトリックを測定するように構成され得る。ネットワーク監視構成要素222は、それに応じて、異なる動作周波数に切り替えるかどうかを決定するなどのために、1つまたは複数のサービスされるUE114について干渉状態が存在するかどうかを決定することができる。ネットワーク監視構成要素222は、スモールセル106のための動作チャネルを選択するための1つまたは複数のチャネルを介する無線状態に関連する品質メトリックを得るように構成され得る。たとえば、品質メトリックは、受信信号強度インジケータ(RSSI)、基準信号受信電力(RSRP)、基準信号受信品質(RSRQ)などを含むチャネルの強度/品質、アップリンク変調コーディング方式(MCS)、電力ヘッドルーム報告(PHR)、アップリンクブロック誤り率、(BLER)、チャネル品質インジケータ(CQI)、ダウンリンクMCSなどを含む信号強度/品質を示す構成パラメータを含み得る。ネットワーク監視構成要素222はまた、本明細書でさらに説明されているように、(たとえば、ハンドオーバ手順の一部として)1つまたは複数のUEから測定報告を受信する、スモールセル106において位置するまたはスモール106によってアクセス可能なNLMから信号を受信することなどを行うように構成され得る。
【００３１】
通信構成要素221はまた、チャネル選択構成要素224を含み得る。チャネル選択構成要素224は、スモールセル106のための動作チャネルを選択するように構成され得る。チャネル選択構成要素224は、受信または測定されたDL/UL品質メトリック、サービスされるUE114から受信した測定報告、などに基づいて、動作チャネルを選択し得る。加えて、たとえば、チャネル選択構成要素224は、統計的に有意な品質インジケータを識別するために、サービスされるUE114から受信した測定報告を集め得る。しきい値品質との統計的に有意な品質インジケータの比較に基づいて、たとえば、チャネル選択構成要素224は、(たとえば、現在の動作チャネルの品質がしきい値品質未満であるである場合、および/または別の動作チャネルの品質がしきい値品質を達成する場合)新しい動作チャネルが選択されるべきであることを決定し得る。統計的有意性および/またはしきい値品質は、スモールセル106において(たとえば、OAM設定メッセージ、メモリ206内に記憶された設定などに基づいて)設定され得る。チャネル選択構成要素224は、測定報告に基づいて切り替えるための新しい動作チャネルを識別するようにさらに構成され得る。利用可能なチャネルのリストは、メモリ206内などにスモールセル106によって維持され得、それは、OAMなどから受信した様々な測定報告から決定され得る。受信した測定報告に基づいて、利用可能なチャネルのリストは、最適な動作チャネルを決定するために(たとえば、測定報告から示される、もしくは他の方法で推論されるダウンリンク品質、または、少なくとも測定報告に基づいて受信および/もしくは決定され得る他の設定メトリックに基づいて)ソートされ得る。
【００３２】
通信構成要素221はまた、チャネル選択構成要素224がスモールセル106のための新しい動作チャネルを選択することを決定することに基づいて、サービスされるUE114を他のサービングセルに移行させるために、UE移行構成要素226を含み得る。UE移行構成要素226は、スモールセル116によってサービスされるUEにメッセージを送信するように構成され得る。メッセージは、複数のサービスされるUEのうちの1つまたは複数をスモールセル106から切断させ得る。
【００３３】
たとえば、UE移行構成要素226は、接続モードにおけるサービスされるUE114の隣接セルへのハンドオーバを開始するように構成され得る。そのような例では、サービスされるUE114に送信されるメッセージは、UE114が他の隣接セルへハンドオーバされるべきであることを示し得る。いくつかの例では、UE移行構成要素226は、(たとえば、X2通信を使用して)隣接セルとのハンドオーバをネゴシエートする、または他の方法で開始するようにさらに構成され得る。他の例では、UE移行構成要素226は、UEを隣接セルへハンドオーバさせるUE114におけるイベントをトリガするために、スモールセル106のシステムパラメータを変更するように構成され得る。たとえば、UE移行構成要素226は、インター周波数またはイントラ周波数A3、A4、またはA5イベント(以下の表1を参照)をトリガすることに関連するスモールセル106の1つまたは複数のパラメータを変更し得、これらのパラメータは、A3、A4、および/またはA5イベントのより頻繁な、または即時のトリガをもたらすように、サービスされるUE114に設定される。そのような例では、変更されたパラメータは、1つまたは複数のブロードキャストメッセージ(たとえば、システム情報ブロック(SIB)メッセージ)または専用メッセージにおいてUE114に送信され得る。したがって、サービスされるUE114は、パラメータを受信し、スモールセル106の受信したパラメータに基づいてイベントA3、A4、またはA5をトリガしてもよく、それは、UE114にハンドオーバのための隣接セルを測定させ、スモールセル106(次いで、UE114のためのハンドオーバの決定を行い得る)へ対応する測定報告を送信させ得る。
【００３４】
加えて、たとえば、UE移行構成要素226は、スモールセル106にキャンプするUE114のアイドルモード再選択を開始するように構成され得る。たとえば、UE移行構成要素226は、アイドルモードUE(本明細書では、「キャンプUE」とも呼ばれる)に隣接セルへの再選択を実行させるメッセージ送信するように構成され得る。一例では、メッセージは、アイドルモード再選択を実行するときを決定するためのUE114において設定されるべき変更されたパラメータを含むブロードキャストメッセージ(たとえば、SIBメッセージ)または専用メッセージに関連し得る。たとえば、変更されたパラメータは、再選択を実行するかどうかを決定する間に待機する時間期間を指定するヒステリシスパラメータ、その後に再選択を実行するかどうかを決定する時間期間を指定するオフセットパラメータ、キャンプするための1つまたは複数のチャネルの優先度に関連するチャネル優先度パラメータ、などに関連し得る。UE移行構成要素226は、これらのパラメータのうちの1つまたは複数の値を調整または変更し得、それは、ブロードキャストまたは専用メッセージの受信時にアイドルモードUEにおける再設定を引き起こし、それによって、スモールセル106にキャンプするアイドルモードUE114によって実行されるアイドルモード再選択をより明確におよび/または即時に(たとえば、時間期間を減少させることによって比較的より速く)生じさせる。
【００３５】
スモールセル106の様々な構成要素は、バスシステム228によって互いに結合され得る。バスシステム228は、データバスに加えて、たとえば、電力バス、制御信号バス、および状態信号バスを含み得る。当業者は、スモールセル106の構成要素が互いに結合され得、または、なにか他のメカニズムを使用して互いに入力を受入れ得るもしくは提供し得ることを理解するであろう。
【００３６】
いくつかの別々の構成要素が図2に示されているが、当業者は、構成要素のうちの1つまたは複数が組み合わされ得、または一緒に実装され得ることを認識するであろう。たとえば、プロセッサ204は、プロセッサ204に関連して上記で説明した機能だけでなく、信号検出器218および/またはDSP220、ネットワーク監視構成要素222、チャネル選択構成要素224、UE移行構成要素226などに関連して上記で説明した機能も実現するために使用され得る。さらに、図2に示す構成要素の各々は、複数の別々の要素を使用して実装され得る。
【００３７】
特定の例では、スモールセル106におけるチャネル選択は、スモールセル106が電源投入したとき開始し得る。チャネル選択構成要素224は、スモールセル106のために利用可能な動作チャネルを示すOAMノード(図示せず)からチャネルリストをダウンロードするように構成され得る。チャネル選択構成要素224は次いで、動作チャネルとしてリストからチャネルの1つを選択するために初期チャネル選択を実行するように構成され得る。一例では、説明したように、スモールセル106におけるNLM(図示せず)は、リスト内のチャネルの少なくとも一部を介して受信された信号を測定するために利用され得、チャネル選択構成要素224は、スモールセル106のための動作チャネルとして最低のRSSIまたは信号強度もしくは干渉の他の測定値を有するチャネルを最初に選択し得る。
【００３８】
その後、たとえば、ネットワーク監視構成要素222は、スモールセル106によってサービスされるUE114によって報告されるアップリンク(UL)および/またはダウンリンク(DL)メトリックを定期的に評価するように構成され得る。たとえば、接続モードにおいて動作しているUE114は、DLチャネル品質メトリックを(たとえば、CQI報告などの、チャネル状態情報(CSI)フィードバックにおいて)定期的に提供し得る。ネットワーク監視構成要素222は、干渉状態が現在の動作チャネル上の1つまたは複数のUE114において存在するかどうかを決定するために、DLチャネル品質メトリックを評価することができ、それは、チャネル選択構成要素224に、異なる動作チャネルに切り替えるかどうか(たとえば、DLチャネル品質メトリックがしきい値未満であるかどうか)を決定させ得る。いずれの場合でも、ネットワーク監視構成要素222は、しきい値未満であるサービスされるUE114によって報告されるDL品質メトリックの統計的分布が存在するかどうかを決定することができ、存在する場合、新しい動作チャネル選択に対する潜在的な必要性が存在する可能性がある。別の例では(たとえば、DLメトリックに基づいて干渉状態が決定されない場合)、ネットワーク監視構成要素222は、サービスされるUE114から受信した通信に基づいて、1つまたは複数のULチャネル品質メトリック(たとえば、UL MCS、PHR、UL BLERなど)を決定することができ、それは、チャネル選択構成要素224が、動作チャネルを切り替えることを考慮すべきかどうか(たとえば、ULチャネル品質メトリックがしきい値未満であるかどうか)を決定するために評価され得る。
【００３９】
ネットワーク監視構成要素222は、OAMによって設定されたしきい値、特定の時間期間の間の最適な動作チャネルの選択をもたらす観測しきい値、シミュレーション研究、ネットワークパフォーマンスカウンタなどに少なくとも部分的に基づいて、干渉状態を識別するための様々なしきい値を決定し得る。いくつかの例では、ネットワーク監視構成要素222は、スモールセル展開の密度を決定することに基づいて(たとえば、サービスされるUE114からの測定報告、X2インターフェースを介して展開内のスモールセルから受信した通信、などに基づいて)しきい値を生成し得る。統計的分布のため、およびセル端のUEの干渉状態を識別することができるように、ネットワーク監視構成要素222は、時間期間にわたって受信したメトリックの高いパーセンタイル値、または特定の数の受信したメトリックのためのパーセンタイル値(たとえば、95番目、98番目などのパーセンタイル値)としてしきい値を決定し得る。
【００４０】
しきい値条件が上述したプロセスによりトリガされたとき、ネットワーク監視構成要素222は、別の動作チャネルがUE114のうちの1つまたは複数のための改善された干渉状態を提供し得るかどうかを決定するために、サービスされるUE114によって報告されたイントラおよびインター周波数隣接信号強度値(たとえば、RSSI、RSRP、RSRQなど)を分析するように構成され得る。たとえば、ネットワーク監視構成要素222は、ハンドオーバ手順の一部として、サービスされるUE114から測定報告を受信し得る。測定報告は、隣接セルの強度(RSSI、RSRPなど)および/または品質(RSRQ)を評価するために利用されるメトリックを含み得、適合性(たとえば、最も低いRSSI/RSRP/RSRQ)の順にソートされ得る。信号強度という用語は、本明細書で使用される場合、そのような強度および/または品質測定値を含むことがあることを理解すべきである。加えて、サービスされるUE114からの測定報告はまた、NLM測定値またはOAM設定の代わりに、またはそれに加えて、UE測定値に基づいてスモールセル106のための隣接リストを定義するなどのために、上記で説明したように、自動隣接関係(ANR)を改良および管理するためにネットワーク監視構成要素222によって使用され得る。そのような隣接リストは、ハンドオーバのための隣接セルを選択するため、隣接セルのパラメータ(たとえば、バックホールインターフェースパラメータ)を決定するため、などのために、サービスされるUEに伝達され得る。
【００４１】
ネットワーク監視構成要素222が、一定時間期間内に1つもしくは複数のUEから測定報告を受信しなかった場合、または、いくつかのサービスされるUE114があるとして、十分な数の測定報告を受信しなかった場合、ネットワーク監視構成要素222は、ブロードキャストメッセージ(たとえば、SIBメッセージ)または専用メッセージ内で告知される、A(i)(たとえば、A3、A4、A5)イベントしきい値などの、イベントしきい値パラメータを変更してもよく、それは、パラメータを検索および更新するUE114に、関連するインベントをトリガさせることができる。そのようなイベントは、トリガされると、(たとえば、ハンドオーバのための隣接セルを評価する目的のために)UE114に測定報告を生成させ、スモールセル106へ送信させることができる。いずれの場合でも、チャネル選択構成要素224は、1つまたは複数のサービスされるUE114から受信した測定報告に少なくとも部分的に基づいて異なる動作チャネルを選択するかどうかを決定し得る。たとえば、チャネル選択構成要素224は、UE114によって報告された受信信号強度が(たとえば、合計において)最も低いチャネル、UE114によって報告された受信信号強度が平均で最も低いチャネル、すべてのサービスされるUE114によって報告された受信信号強度がしきい値を超えないチャネル、などを決定し得る。一例では、ネットワーク監視構成要素222は、報告された信号強度に基づいてチャネルをランク付けし得る。いずれの場合でも、チャネル選択構成要素224は、それに応じて、スモールセル106のための動作チャネルであるように異なるチャネルを選択することができ、異なるチャネルは、現在の動作チャネルよりも望ましい無線状態(たとえば、より低い報告された信号強度)を有する。
【００４２】
UE移行構成要素226は、サービスされるUE114に、アイドルモードと接続モードの両方で、隣接セルに移行させるように試みることができ、または、そうでなければ、スモールセル106が選択された動作チャネルに切り替わる間、スモールセル106へのアクセスすることを試みないことができる。たとえば、UE移行構成要素226は、接続モードUE114を1つもしくは複数の隣接セルへハンドオーバすることができ、および/または、アイドルモードUE114に、1つもしくは複数の隣接セルへのアイドルモード再選択を実行させることができる。たとえば、UE移行構成要素226は、1つまたは複数の接続モードUE114のハンドオーバをネゴシエートするなどのために、スモールセル106が任意の隣接セル(図示せず)との接続(たとえば、X2接続)を有するかどうかを決定するように構成され得る。その場合、UE移行構成要素226は、X2インターフェースを介してイントラ/インター周波数隣接セルとネゴシエートし、1つまたは複数の接続モードUE114のネットワークが開始するイントラ/インター周波数ハンドオーバを強制するように構成され得る。イントラ周波数隣接セルが存在する場合、イントラ周波数ハンドオーバが好ましい可能性がある。
【００４３】
別の例では、UE移行構成要素226は、測定レポートを送信するとともにUEのイントラ/インター周波数ハンドオーバを容易にするためのUEにおけるA3、A4、A5イベントをトリガすることに関連するパラメータなどの、ブロードキャストメッセージ(たとえば、SIBメッセージ)または専用メッセージにおいてUEに送信されるシステムパラメータを変更することに少なくとも部分的に基づいて、接続モードUE114のハンドオーバを引き起こすことができる。この例では、イントラ周波数隣接セルが存在する場合、イントラ周波数ハンドオーバが好ましい可能性がある。
【００４４】
加えて、UE移行構成要素226は、アイドルモードUE114に他の隣接セルへ再選択させるために、アイドルモードUE114にブロードキャストされる、ヒステリシス、オフセットパラメータ、および/またはチャネル優先度パラメータを変更するように構成され得る。たとえば、UE移行構成要素226は、アイドルモードUE114が以前に設定されたパラメータを用いるよりも早く再選択を試みることができるように、ヒステリシスおよび/またはオフセットパラメータを減少させ得る。さらに、たとえば、UE移行構成要素226は、次の再選択の機会に異なる動作チャネルを使用する隣接セルをアイドルモードUE114に再選択させるなどのために、スモールセル106の動作チャネルを望ましくなくするために、チャネル優先度パラメータを減少させることができる。これは、より高い優先度の動作チャネルを有する隣接セルが存在する場合、アイドルモードUE114が隣接セルを再選択する可能性を高めることができる。一例では、UE移行構成要素226は、スモールセル106が切り替わるつもりである動作チャネルのチャネル優先度を増加させ得る。
【００４５】
チャネル選択構成要素224は、UE移行構成要素226が接続および/またはアイドルモードUE114の移行を引き起こすことに基づいて、選択されたチャネルに切り替えるように構成され得る。一例では、チャネル選択構成要素224は、接続モードUE114がハンドオーバされると、アイドルモードUE114と関係なく、選択されたチャネルへの切り替えを開始し得る。選択されたチャネルへの切り替えは、この点について、選択されたチャネル上で動作するために送信機210および/または受信機212を切り替えることを含み得る。
【００４６】
いくつかの例では、ネットワークにおける過度のシグナリングの負担を回避するために、チャネル選択構成要素224は、(たとえば、OAM、メモリ内に記憶された設定、などからの)持続性遅延を用いて設定され得る。したがって、一例では、持続性遅延は、タイマ値に関連してもよく、選択されたチャネルへの切り替え時に、チャネル選択構成要素224は、後続のチャネル選択がタイマの満了後まで発生しないように、持続性タイマ値を使用してタイマを初期化し得る。いくつかの例では、ネットワーク監視構成要素222はまた、リソースを節約するために、タイマの満了後まで、新しいチャネルが選択されるべきかどうかを決定する目的のためのDL/ULメトリックを監視することを控えるように構成され得る。
【００４７】
別の例では、設定された持続性遅延は、異なる動作チャネルへの選択が実行され得るまでネットワーク監視構成要素222によって検出されるべき干渉状態の数および/または干渉状態の激しさに関連し得る。持続性遅延は、(たとえば、以前の動作チャネル選択における)UE114によって経験された干渉、スモールセル展開特性(たとえば、スモールセル106の近傍内のスモールセルの数)、などに少なくとも部分的に基づいて設定され得、OAMなどによってそのような干渉または特性を観察することに基づいて、チャネル選択構成要素224によって設定され得る。
【００４８】
図3および/または図4A〜図4Cを参照すると、本明細書に記載の装置(たとえば、スモールセル106、装置504、スモールセル710A、710B、ワイヤレスデバイス910、装置1000など)によって実行され得る方法が示されている。図3および/または図4A〜図4Cにおいて以下で説明する動作は、特定の順序において提示され、および/または例示的な構成要素によって実行されるが、アクションの順序およびアクションを実行する構成要素は、実施態様に応じて変化し得ることが理解されるべきである。さらに、以下のアクションまたは機能は、特別にプログラムされたプロセッサ、特別にプログラムされたソフトウェアを実行するプロセッサ、もしくはコンピュータ可読媒体によって、または、説明されたアクションもしくは機能を実行することができるハードウェア構成要素および/もしくはソフトウェア構成要素の任意の他の組合せによって実行され得ることが理解すべきである。その上、ある態様では、コンポーネントは、システムを構成する部分の1つであってよく、ハードウェアまたはソフトウェアであってよく、かつ/または他のコンポーネントに分割されてよい。
【００４９】
図3は、ワイヤレス通信においてスモールセルにおける動作チャネルを切り替えるための例示的な方法300を示す。方法300は、ブロック310において、DL品質メトリックまたはUL品質メトリックのうちの少なくとも1つに少なくとも部分的に基づいて、スモールセルにおける異なる動作チャネルを選択することを決定することを含む。チャネル選択構成要素224(図2)は、DL品質メトリックまたはUL品質メトリックのうちの少なくとも1つに少なくとも部分的に基づいて、スモールセル106における異なる動作チャネルを選択するように決定することができる。説明したように、ネットワーク監視構成要素222は、1つまたは複数のUE114によって報告される、またはそのUE114のために測定されるようなDLおよび/またはUL品質メトリックを測定することができ、それに応じて、干渉状態が1つまたは複数のUE114に存在するかどうかと、したがって、異なる動作チャネルを選択するかどうかとを決定することができる。たとえば、DL品質メトリックは、CQI、またはUE114によって報告されるチャネル品質の他の測定値に関連することができ、ULメトリックは、UE114のために選択または測定された、MCS、PHR、BLERなどに関連することができる。加えて、説明したように、干渉状態が存在するかどうかを決定することは、DL品質メトリックまたはUL品質メトリックのうちの少なくとも1つを1つまたは複数のしきい値と比較することに関連してもよく、しきい値は、干渉状態が存在するかどうかを決定するために、品質メトリックの統計分布に基づいて選択され得る。さらに、一例では、異なる動作チャネルを選択することを決定することは、持続性遅延が満たされるかどうか(たとえば、持続性タイマが満了したかどうか、いくつかの干渉状態が発生したかどうか、または設定された持続性遅延に関する他のイベントかどうか)を決定することに少なくとも部分的に基づき得る。
【００５０】
加えて、説明したように、チャネル選択構成要素224は、最も低い報告された信号強度を有する、またはそうでなければ1つもしくは複数のUE114に最も低い干渉を引き起こす動作チャネルを決定するために、1つまたは複数のUE114から受信した測定報告を評価することに少なくとも部分的に基づいて、異なる動作チャネルを決定することができる。たとえば、チャネル選択構成要素224は、最も低い平均の報告された信号強度(たとえば、RSSI、RSRP、RSRQなど)を有する動作チャネル、どのUE114も特定のしきい値を超える信号強度を報告しない動作チャネル、しきい値数未満のUE114が特定のしきい値を超える信号強度を報告した動作チャネル、などを選択し得る。いくつかの例では、チャネル選択構成要素224は、UEから受信した測定報告に基づいて、現在の動作チャネルが最も望ましいことを決定し得、その場合には、チャネル選択構成要素224は、ブロック310において、異なる動作チャネル選択しないことを決定してもよい。
【００５１】
方法300はまた、ブロック312において、異なる動作チャネルを選択することを決定することに少なくとも部分的に基づいて、スモールセルによってサービスされる1つまたは複数の接続モードUEを1つまたは複数の隣接セルへハンドオーバさせることを含む。UE移行構成要素226は、チャネル選択構成要素224が異なる動作チャネルを選択することを決定することに少なくとも部分的に基づいて、スモールセル106によってサービスされる1つまたは複数の接続モードUEを1つまたは複数の隣接セルへハンドオーバさせることができる。説明したように、たとえば、UE移行構成要素226は、(たとえば、X2インターフェースを介して)1つまたは複数の隣接セルとのハンドオーバをネゴシエートすることによって、イントラ/インター周波数ハンドオーバを容易にするための測定報告を生成することに関連するイベントをトリガするためのUEに(たとえば、SIBメッセージ内で)ブロードキャストされるパラメータを調整することによって、などによって、1つまたは複数の接続モードUEをハンドオーバさせることができる。
【００５２】
方法300はまた、ブロック314において、1つまたは複数のアイドルモードUEに1つまたは複数の隣接セルへ再選択させるために、スモールセルにキャンプする1つまたは複数のアイドルモードUEのために設定された1つまたは複数のパラメータを変更することを含む。UE移行構成要素226は、1つまたは複数のアイドルモードUEに1つまたは複数の隣接セルへ再選択させるために、スモールセルにキャンプする1つまたは複数のアイドルモードUEに設定された1つまたは複数のパラメータを変更することができる。たとえば、UE移行構成要素226は、スモールセル106にキャンプする1つまたは複数のアイドルモードUEによるアイドルモード再選択を実施する試みにおいて、ヒステリシス、オフセット、チャネル優先度、または同様のパラメータを変更することができる。説明したように、これは、スモールセル106がブロードキャストメッセージ(たとえば、SIBメッセージ)において変更されたパラメータを送信することを含む。1つまたは複数のアイドルモードUEのために設定された1つまたは複数のパラメータを変更することは、異なる動作チャネルを選択することを決定することに少なくとも部分的に基づき得る。
【００５３】
方法300は、ブロック316において、少なくとも、1つまたは複数の接続モードUEが1つまたは複数の隣接セルへハンドオーバされたとき、異なる動作チャネルを使用するように切り替えることを含む。チャネル選択構成要素224は、少なくとも、1つまたは複数の接続モードUEが1つまたは複数の隣接セルへハンドオーバされたとき、異なる動作チャネルを使用するように切り替えることができる。これは、チャネル選択構成要素224がすべてまたは少なくともしきい値数の接続モードUEがハンドオーバされるかどうかを決定することを含み得る。加えて、たとえば、チャネル選択構成要素224は、アイドルモードUEのうちのいずれかまたはいくつかが動作チャネルを切り替えることを決定する前に再選択したかどうかを決定しなくてもよい。たとえば、チャネル選択構成要素224は、送信機210、受信機212などのための動作チャネルを切り替えることができる。
【００５４】
図4A、図4B、および図4Cは、UE報告に基づくスモールセルチャネル選択の例示的な方法のフロー図を集合的に示す。図4A、図4B、および図4Cに示すプロセスは、スモールセル106または本明細書に記載の他のデバイスによって全体的にまたは部分的に実施され得る。
【００５５】
図4Aを参照すると、方法は、ブロック402において開始する。ブロック402における方法の開始は、一般的に、少なくとも1つのスモールセルの電源投入またはリセットに対応することができる。いくつかの例では、複数のスモールセルが展開され得る(図1参照)。ブロック404で、UEをサービスしている複数のスモールセルが同時に切り替えようとする状況を回避するために、セルは、チャネル選択のためにオプションで選択され得る。一例では、選択は、各スモールセルがチャネル選択プロセスを終了したときにスモールセル間で渡されるトークンに基づき得る。いくつかの例では、ブロック404における選択は、チャネル選択のための所与のスモールセルに割り当てられた設定された時間、間隔などに基づき得る。したがって、スモールセルは、関連する隣接管理メッセージング、バックホールメッセージングを介して、または中央ネットワークノードを介して、チャネル選択を実行するためのタイミングを調整するように構成され得る。たとえば、チャネル選択構成要素224は、他の動作チャネルを評価するかどうかを決定するために、これらの機能のうちの1つまたは複数を実行するように構成され得る。
【００５６】
方法400は、ブロック406において、NLMを使用してまたはOAMデータベースに基づいて、最も少なく使用された動作チャネルの初期チャネル選択を行うことを含む。チャネル選択構成要素224は、チャネルを測定するためにNLMを使用すること(たとえば、および、最も低い測定信号強度を有するチャネルを選択すること)に基づいて、特定のチャネル周波数を使用する隣接セルの数および/または位置/距離を決定すること(たとえば、および、任意のもしくは少なくともしきい値数の隣接セルによって使用されないチャネル、または少なくともスモールセル106のしきい値距離内の隣接セルによって使用されないチャネルを選択すること)に基づいて、などして、説明したように、最も少なく使用された動作チャネルの初期チャネル選択を行い得る。
【００５７】
初期チャネルを選択することに基づいて、スモールセル106は、選択されたチャネル上でサービスを告知することを開始することができる。UE114は、それに応じてサービスを告知する信号を受信し得、スモールセル106に接続し得る。スモールセル106に接続することの一部として、UE114は、スモールセル106との無線状態が劣化したとき、ハンドオーバのための隣接セルを考慮することを容易にするために、定期的な測定報告を実行し得る。たとえば、3GPP仕様は、隣接セル測定値を報告するために、接続UEのための標準化された測定、フォーマット、タイミング、およびトリガ要件を提供する。
【００５８】
ブロック408において、接続モードUEによって報告された、または接続モードUEのために測定されたDLおよびUL品質メトリックが、定期的に評価され得る。ネットワーク監視構成要素222は、説明したように、報告または測定されたDLおよびUL品質メトリックを評価し得る。ネットワーク監視構成要素222は、UE114から報告された(たとえば、RSSI、RSRP、RSRQ、CQI、もしくは他の品質報告のような)DL品質メトリック、および指定されたDL MCSなどを受信し得、ならびに/または、UE114のためのMCS、PHR、BLERなどに少なくとも部分的に基づいてUL品質メトリックを決定し得る。
【００５９】
ブロック410において、DL品質メトリック(RSRQ、CQI、DL、MCSなど)のN番目のパーセンタイルが1つまたは複数のしきい値未満であるかどうかが決定され得る。ネットワーク監視構成要素222は、DL品質メトリック(RSRQ、CQI、DL、MCSなど)のN番目のパーセンタイルが1つまたは複数のしきい値未満であるかどうかを決定し得、それは、干渉状態を示し得る。たとえば、ネットワーク監視構成要素222は、これを少なくとも部分的に、メトリックが統計的に有意であるかどうかを決定するために、UE114、測定報告などのうちの1つまたは複数からのCSI報告からのDL品質メトリック値を集めることによって決定し得る。図4Aに示すように、(たとえば、時間期間にわたって受信した)メトリックスのトップのN番目のパーセンタイル値は、ブロック410において、ネットワーク監視構成要素222による決定のための1つの基礎として使用され得る。加えて、たとえば、しきい値は、OAM設定メッセージを介して提供され得、スモールセルによってアクセス可能なメモリ内に設定され得、設定インターフェースを介して動的に設定され得、他のセルなどから無線を介して、またはバックホールシグナリングを介して受信され得る。
【００６０】
図4Aに示すように、DL品質メトリック(RSRQ、CQI、DL MCSなど)のN番目のパーセンタイルが1つまたは複数のしきい値未満ではない場合、方法は、ブロック412において、同様に、UL品質メトリック(MCS、PHRなど)のN番目のパーセンタイルが1つまたは複数のしきい値未満であるかどうかを決定することを含む。ネットワーク監視構成要素222は、UL品質メトリック(MCS、PHRなど)のN番目のパーセンタイルが1つまたは複数のしきい値未満であるかどうかを決定することができる。したがって、ネットワーク監視構成要素222は、チャネル選択が適切であるかどうかを決定するとき、アップリンクおよびダウンリンク性能の両方を考慮することを含むことができる。
【００６１】
ブロック412において、UL品質メトリック(MCS、PHRなど)のN番目のパーセンタイルが1つまたは複数のしきい値未満ではない場合、方法は、定期的な評価を継続するために、ブロック408に戻る。ブロック410において、DL品質メトリック(RSRQ、CQI、DL MCSなど)のN番目のパーセンタイルが1つまたは複数のしきい値未満である場合、またはブロック412において、UL品質メトリック(MCS、PHRなど)のN番目のパーセンタイルが1つまたは複数のしきい値未満である場合、干渉状態が存在する可能性があり、方法は、新しい動作チャネルの検討のために、図4B中のブロック414に進む。たとえば、チャネル選択構成要素224は、上記で説明したように、ネットワーク監視構成要素222が干渉状態が存在することを決定することに基づいて、新しい動作チャネルを選択するかどうかを検討することができる。
【００６２】
ここで、図4Bに向かうと、検出された干渉状態により動作チャネル切り替えの潜在的な必要性が確認されたならば、ブロック416において、イントラ/インター周波数イベント(A1〜A5)がUEによって報告されたかどうかが決定され得る。ネットワーク監視構成要素222は、イントラ/インター周波数イベントが接続モードUE114によって報告されたかどうかを決定し得る。そのようなイベントは、説明したように、UEにおける測定報告の生成を引き起こすことができ、測定報告は、UEによって様々なチャネルにわたって検出された信号強度(および、したがって干渉)を示すことができる。したがって、これらの測定報告は、(たとえば、UE114において他の動作チャネルが低い信号強度を有することが報告された場合)動作チャネルを切り替えるかどうかを決定するために所望され得る。
【００６３】
ブロック416において、イントラ/インター周波数イベント(A1〜A5)がUEによって報告されない(または、接続モードUEのしきい値数もしくは割合によって報告されない)場合、ブロック418において、A1、A2、またはA3パラメータは、イントラ/インター周波数測定を容易にするために変更され得る。ネットワーク監視構成要素222は、UEに測定報告を生成させるために、1つまたは複数の接続モードUEへのブロードキャストメッセージ(たとえば、SIBメッセージ)、専用メッセージなどにおけるこれらのメッセージを変更し得る。いくつかの例では、図示していないが、方法は、報告が受信されているかどうかを決定するために、ブロック416に戻ってもよい。
【００６４】
方法はまた、(ブロック416において、イントラ/インター周波数イベントがUEによって報告されていることを決定するか、ブロック418において、そのような報告を容易にするためにパラメータを変更した後に)ブロック420において、動作チャネルを変更するかどうかを決定することを含む。チャネル選択構成要素224は、説明したように、測定レポートからの1つまたは複数のチャネルが現在の動作チャネルよりも望ましい(たとえば、より低い平均報告信号強度を有する、少なくともしきい値数または割合のサービスされるUE114についてより低い報告信号強度を有する、しきい値を超えるUE114からの報告信号強度がない、またはしきい値数未満である)かどうかを決定することに少なくとも部分的に基づいて、動作チャネルを変更するかどうかを決定し得る。特定の例では、チャネル選択構成要素224は、信号強度のそのような測定値に基づいて、利用可能なチャネルをソートし得る。ソート順序は、OAM設定などのサービングノードのための設定によって決定され得る。チャネルは、1つまたは複数の信号強度測定値に基づいてソートされ得る。ソートは、相対的信号強度(たとえば、干渉)によって順序付けられた、スモールセル106に利用可能なチャネルの順序付きリストを提供する。最高品質チャネルが現在のチャネルである場合、変更は、特定されず、方法は、ブロック421において、図4A中のブロック408に戻ることができる。最適な動作チャネルが現在の動作チャネルではない場合、ブロック420において、動作チャネルを変更することが決定され得る。
【００６５】
ブロック420において動作チャネルを変更することを決定すると、ブロック422において、X2インターフェースが利用可能であるかどうかが決定され得る。UE移行構成要素226は、X2インターフェースが、接続モードUEのハンドオーバをネゴシエートするための1つまたは複数の隣接セルで利用可能であるかどうかを決定し得る。たとえば、X2は、(たとえば、ハンドオーバまたは他の機能を容易にするために)ワイヤレスネットワークノード内のセルがメッセージを交換することを可能にする通信プロトコルの一例である。セル間の通信を容易にする他のプロトコルがこの例において使用され得ることが理解されるべきである。いくつかのスモールセルネットワークは、すべてX2機能を有するノードを含む。いくつかのスモールセルまたは隣接セルは、しかしながら、X2インターフェースを持たなくてもよい。
【００６６】
ブロック422において、X2インターフェースが利用可能である場合、ブロック424において、イントラ/インター周波数隣接セルは、ネットワークが開始する接続モードUEのイントラ/インター周波数ハンドオーバを引き起こすために、X2を介してネゴシエートされ得る。UE移行構成要素226は、ネットワークが開始する接続モードUEのイントラ/インター周波数ハンドオーバを引き起こすために、X2を介してイントラ/インター周波数隣接セルとネゴシエートし得る。説明したように、UE移行構成要素226は、イントラ周波数隣接セルが接続モードUE114からの測定方向において報告された場合、イントラ周波数ハンドオーバを実行することを好んでもよい。
【００６７】
ブロック422において、X2が利用不可能である場合、ブロック426において、イントラ/インター周波数A3、A4、A5パラメータは、接続モードUEのイントラ/インター周波数ハンドオーバを容易にするイベントをトリガするために、UEのために変更され得る。UE移行構成要素226は、接続モードUEのイントラ/インター周波数ハンドオーバを容易にするイベントをトリガするために、UEのためのイントラ/インター周波数A3、A4、A5パラメータを変更し得る。たとえば、イントラ/インター周波数A3、A4、またはA5パラメータ(たとえば、隣接セルに対するセル固有のオフセット(Ocn))は、UE移行構成要素226によって調整され得、接続UEに伝達され得る。下記の表1は、イントラ周波数およびインター周波数ハンドオーバのために調整され得る例示的なパラメータを表す。受信すると、接続UEは、対応するA3、A4、またはA5イベントをトリガすることができ、したがって、インターまたはイントラ周波数ハンドオーバを開始する。ブロック424と同様に、可能であれば、UE移行構成要素226および/またはUEは、イントラ周波数ハンドオーバを好むように構成され得る。一例では、UEにおいて検出可能であるA1〜A5イベントは、以下のように要約され得、いくつかのワイヤレス通信技術(たとえば、LTE)において(たとえば、本明細書に記載のようにUE移行構成要素226によって変更され得る)以下の調整可能なパラメータを有し得る。
【００６８】
【表１】
0006549155.tif 000002
【００６９】
ここで、Ofnは、隣接セルの周波数の周波数固有オフセット(たとえば、隣接セルの周波数に対応するmeasObjectEUTRAオブジェクト内で定義されるoffsetFreqであり、Ofsは、サービングセルの周波数の周波数固有オフセット(たとえば、サービングセルの周波数に対応するmeasObjectEUTRAオブジェクト内で定義されるoffsetFreq)であり、Ocnは、隣接セルのセル固有オフセット(たとえば、隣接セルの周波数に対応し、隣接セルのために設定されていない場合、ゼロに設定される、measObjectEUTRAオブジェクト内で定義されるcellIndividualOffset)であり、Ocsは、サービングセルのセル固有オフセット(たとえば、サービングセルの周波数に対応し、サービングセルのために設定されていない場合、ゼロに設定される、measObjectEUTRAオブジェクト内で定義されるcellIndividualOffset)であり、Hysは、このイベントのためのヒステリシスパラメータ(たとえば、このイベントのためのreportConfigEUTRAオブジェクト内で定義されるようなヒステリシス)であり、Offは、このイベントのためのオフセットパラメータ(たとえば、このイベントのためのreportConfigEUTRAオブジェクト内で定義されるようなa3-Offset)であり、Thresh1は、このイベントのためのしきい値パラメータ(たとえば、このイベントのためのreportConfigEUTRAオブジェクト内で定義されるようなa5-Threshold1であり、Thresh2は、このイベントのためのしきい値パラメータ(たとえば、このイベントのためのreportConfigEUTRAオブジェクト内で定義されるようなa5-Threshold2)であり、timeToTriggerは、イベントのための特定の基準が測定報告をトリガするために満たされ得る期間である。
【００７０】
いずれの場合にも、ブロック428において、まだ接続UEが存在するかどうかが決定され得る。UE移行構成要素226は、スモールセル106内の接続モードUEがまだ存在するかどうかを決定し得る。そうである場合、ブロック430において、オプションで、接続モードUEの数がしきい値未満であるかどうかが決定され得る。UE移行構成要素226は、オプションで、接続モードUEの数がしきい値未満であるかどうかを決定し得る。そうでない場合、方法は、接続モードUEのハンドオーバを引き起こすことを再び試みるために、ブロック422に進むことができる。
【００７１】
ブロック428において、スモールセルにおいて接続モードUEがまだある場合、または、ブロック430において、接続モードUEの数がしきい値未満である場合、プロセスは、ブロック432を介して図4Cに続く。たとえば、スモールセル106において動作チャネルを変更することは、接続UEに任意の既存の通信セッションをドロップさせる可能性があるので、展開に応じてしきい値数/割合よりも多くのUE(または任意のUE)をドロップさせることは、許容されない可能性がある。たとえば、住宅の設定では、企業の展開におけるよりも少ないUEをドロップすることが許容され得る。ブロック430において使用するためのUEのしきい値数/割合は、(たとえば、OAMによって)設定され、履歴上サービスされるデバイスの数などに基づいて決定され得る。
【００７２】
ここで図4Cに向かうと、ブロック420において動作チャネルを変更することが決定され、ブロック434において、UE(または十分な数のUE)がスモールセルに接続されていないことが決定されている場合、ヒステリシス、オフセット、またはチャネル優先度パラメータは、隣接セルへのキャンプUEのイントラ/インター周波数再選択を容易にするために変更され得る。UE移行構成要素226は、説明したように、隣接セルへのキャンプUEのイントラ/インター周波数再選択を容易にするために、ヒステリシス、オフセット、またはチャネル優先度パラメータを変更し得る。さらに、説明したように、スモールセル106は、いつ、どんな状況下で再選択を実行するのかを決定するために、UEによる消費および更新/使用するために、1つまたは複数のブロードキャストメッセージ(たとえば、SIBメッセージ)、専用メッセージなどにおいて、変更されたパラメータを告知し得る。
【００７３】
ブロック436において、最高ランクのインター周波数動作チャネルに再同期するように移行が生じ得る。チャネル選択構成要素224は、最高ランクのインター周波数動作チャネル(たとえば、上記で説明したように、UEからの最も低い報告差信号強度を有する動作チャネル)に再同期するように移行し得る。
【００７４】
ブロック438において、オプションで、持続性遅延が満たされているかどうかが決定され得る。チャネル選択構成要素224は、切り替えのための動作チャネルを評価するかどうかを決定する前に、持続性遅延が満たされているかどうかを決定し得る。たとえば、持続性遅延が満たされているかどうかを決定することは、ブロック436において、新しい動作チャネルに移行するときに設定され得る持続性タイマが満了したかどうかを決定することに関係し得る。別の例では、持続性遅延が満たされているかどうかを決定することは、ブロック436において、動作チャネルを移行してからいくつかの干渉状態が生じたかどうかを決定することを含み得る。
【００７５】
持続性遅延が満たされる(またはその逆)と、方法は、ブロック440を介して図4A中のブロック402を開始することに戻り得る。図4A、図4B、および図4Cに示す方法の間、デバイスからの追加の測定報告が受信され得ることを理解すべきである。これらの追加の報告は、チャネル選択プロセスの後続の反復において使用され得る。いくつかの例では、プロセスは、以前の動作チャネル選択から受信された報告、設定され数の報告、または設定された時間範囲(たとえば、最後の時間、最後の日、最後のn分など))からの報告などを考慮するように構成され得る。
【００７６】
図5は、本明細書で教示する信号処理動作をサポートするために、装置502、装置504、および装置506(たとえば、それぞれ、アクセス端末、アクセスポイント、およびネットワークエンティティに対応する)に組み込まれ得るいくつかのサンプル構成要素(対応するブロックによって表される)を示す。これらの構成要素は、異なるタイプの例においては、異なるタイプの装置において(たとえば、ASICにおいて、システムオンチップ(SoC)において、など)実装され得ることを理解すべきである。説明した構成要素はまた、通信システム内の他の装置内に組み込まれ得る。たとえば、システム内の他の装置は、同様の機能を提供するために、図2、図3、図4A〜図4C中のスモールセル106および関連する例示的な方法を参照して説明したものと同様の構成要素を含み得る。また、所与の装置は、説明した構成要素のうちの1つまたは複数を含み得る。一例では、装置504は、UE(たとえば、装置502)およびネットワークエンティティ(たとえば、OAMおよび/または他のスモールセルを含み得るネットワークエンティティ508)と通信するスモールセル106を含み得る。たとえば、ネットワーク監視構成要素222、チャネル選択構成要素224、UE移行構成要素226とそれらの機能は、上記で説明したように、図3中の方法300のブロック310〜316、図4A〜図4C中の方法400のブロック402〜440は、以下で説明するように、処理システム534内のプロセッサモジュールによって、メモリ構成要素540内に記憶され処理システム534によって実行されるコンピュータ実行可能コードまたは命令において、などで実装され得る。さらに、この点について、装置504は、たとえば、図2、図3、および図4A〜図4Cを参照して上記で説明したように、受信した測定報告に基づいて動作チャネルを選択することを決定する、アクティブおよび/またはアイドルモードUEにハンドオーバ/再選択させるためにアクティブおよび/またはアイドルモード通信パラメータを変更する、選択された動作チャネルに切り替える、などのために動作可能な通信構成要素221を含み得る。通信構成要素221は、メモリ構成要素540などの中の命令に基づいて、処理システム534と通信し得、処理システム534によって実装され得ることが理解されるべきである。
【００７７】
装置502および装置504は、各々、少なくとも1つの指定された無線アクセスを介して他のノードと通信するための少なくとも1つのワイヤレス通信デバイス(通信デバイス508および514によって表される)を含む。各通信デバイス508は、信号(たとえば、メッセージ、指示、情報など)を送信および符号化するための少なくとも1つの送信機(送信機510によって表される)と、信号(たとえば、メッセージ、指示、情報、パイロットなど)を受信および復号するための少なくとも1つの受信機(受信機512によって表される)とを含む。同様に、各通信デバイス514は、信号(たとえば、メッセージ、指示、情報、パイロットなど)を送信するための(送信機516によって表される)少なくとも1つの送信機と、信号(たとえば、メッセージ、指示、情報など)を受信するための(受信機518によって表される)少なくとも1つの受信機とを含む。
【００７８】
送信機および受信機は、いくつかの例では集積デバイス(たとえば、単一の通信デバイスの送信機回路および受信機回路として具体化される)を備え得、いくつかの例では別個の送信機デバイスと別個の受信機デバイスとを備え得、または他の例では他の方法で具体化され得る。いくつかの態様では、装置504のワイヤレス通信デバイス(たとえば、複数の通信デバイスのうちの1つ)は、説明したように、ネットワークリッスンモジュールを備える。
【００７９】
装置506は、他のノードと通信するための少なくとも1つの通信デバイス(通信デバイス526によって表される)を含み得る。たとえば、通信デバイス526は、ワイヤベースまたはワイヤレスバックホールを介して1つまたは複数のネットワークエンティティと通信するように構成されたネットワークインターフェースを備え得る。いくつかの態様では、通信デバイス526は、ワイヤベースまたはワイヤレスの信号通信をサポートするように構成されたトランシーバとして実装され得る。この通信は、たとえば、メッセージ、パラメータ、または他のタイプの情報を送信および受信することを伴い得る。したがって、図5の例において、通信デバイス526は、送信機528と受信機530とを備えるものとして示されている。同様に、通信デバイス520は、ワイヤベースまたはワイヤレスバックホールを介して1つまたは複数のネットワークエンティティと通信するように構成されたネットワークインターフェースを備え得る。通信デバイス526と同様に、通信デバイス520は、送信機522と受信機524とを備えるものとして示されている。
【００８０】
装置502、504、および506はまた、本明細書で教示する信号処理動作に関連して使用され得る他の構成要素を含む。装置502は、たとえば、本明細書で教示する機能をサポートするためにアクセスポイントと通信することに関連する機能を提供するため、および他の処理機能を提供するための処理システム532を含む。装置504は、たとえば、本明細書で教示する機能に関係する機能を提供するため、および他の処理機能を提供するための処理システム534を含む。装置506は、たとえば、本明細書で教示する機能に関連する機能を提供するため、および他の処理機能を提供するための処理システム536を含む。装置502、504、および506は、それぞれ、情報(たとえば、予約されたリソースを示す情報、しきい値、パラメータなど)を維持するためのメモリデバイス538、540、および542(たとえば、各々がメモリデバイスを含む)を含む。加えて、装置502、504、および506は、それぞれ、ユーザに指示(たとえば、可聴および/もしくは視覚指示)を提供するため、ならびに/または(たとえば、キーパッド、タッチスクリーン、マイクロフォンなどの知覚デバイスのユーザの作動に際して)ユーザ入力を受信するためのユーザインターフェースデバイス544、546、および548を含む。
【００８１】
便宜のために、装置502は、本明細書に記載の様々な例において使用され得る構成要素を含むものとして図5に示されている。実際には、図示のブロックは、異なる態様において異なる機能を有し得る。
【００８２】
図5の構成要素は、様々な方法で実装され得る。いくつかの例では、図5の構成要素は、たとえば、1つもしくは複数のプロセッサおよび/または1つもしくは複数のASIC(1つもしくは複数のプロセッサを含み得る)などの、1つまたは複数の回路において実装され得る。ここで、各回路は、この機能を提供するために回路によって使用される情報または実行可能コードを記憶するための少なくとも1つのメモリ構成要素を使用および/または組み込み得る。たとえば、ブロック508、532、538、および544によって表される機能のうちのいくつかまたはすべては、装置502のプロセッサおよびメモリ構成要素によって(たとえば、適切なコードの実行によって、かつ/またはプロセッサ構成要素の適切な構成によって)実装され得る。同様に、ブロック514、520、534、540、および546によって表される機能のうちのいくつかまたはすべては、装置504のプロセッサおよびメモリ構成要素によって(たとえば、適切なコードの実行によって、かつ/またはプロセッサ構成要素の適切な構成によって)実装され得る。また、ブロック526、536、542、および548によって表される機能のうちのいくつかまたはすべては、装置506のプロセッサおよびメモリ構成要素によって(たとえば、適切なコードの実行によって、かつ/またはプロセッサ構成要素の適切な構成によって)実装され得る。
【００８３】
本明細書に言及されるアクセスポイントのうちのいくつかは、説明したように、セルラー無線通信(たとえば、CDMA、WCDMA(登録商標)、UMTS、LTEなど)サポートするアクセス端末のための音声および高速データサービスを提供するために、スモールセルを備え得る。
【００８４】
スモールセルは、異なるタイプのアクセスモードをサポートするように構成され得る。たとえば、オープンアクセスモードでは、スモールセルは、任意のアクセス端末がスモールセルを介して任意のタイプのサービスを取得することを可能にし得る。制限された(または閉鎖的な)アクセスモードでは、スモールセルは、許可されたアクセス端末のみがスモールセルを介してサービスを得ることを許可し得る。たとえば、スモールセルは、ある加入者グループ(たとえば、限定加入者グループ(CSG))に属するアクセス端末(たとえば、いわゆる、ホームアクセス端末)のみがスモールセルを介してサービスを取得することを可能にし得る。ハイブリッドアクセスモードでは、異種の(alien)アクセス端末(たとえば、非ホームアクセス端末、非CSGアクセス端末)は、スモールセルへの制限付きアクセスが与えられ得る。たとえば、スモールセルのCSGに属していないマクロアクセス端末は、スモールセルによって現在サービスされているすべてのホームアクセス端末のために十分なリソースが利用可能である場合にのみ、スモールセルにアクセスすることを許可され得る。
【００８５】
したがって、これらのアクセスモードのうちの1つまたは複数において動作するスモールセルは、屋内カバレージおよび/または拡張屋外カバレージを提供するために使用され得る。所望のアクセス動作モードの採用によりユーザへのアクセスを可能にすることによって、スモールセルは、カバレージエリア内で改善されたサービスを提供し、場合によっては、マクロネットワークのユーザにサービスカバレージエリアを拡張することができる。
【００８６】
したがって、いくつかの態様では、本明細書の教示は、マクロ規模のカバレージ(たとえば、通常はマクロセルネットワークまたはWANと呼ばれる、第3世代(3G)ネットワークなどの広域セルラーネットワーク)と、より小規模のカバレージ(たとえば、通常はLANと呼ばれる、住宅ベースまたは建物ベースのネットワーク環境)とを含むネットワークにおいて採用され得る。アクセス端末(AT)がそのようなネットワークを通じて移動する際、アクセス端末は、いくつかの位置では、マクロカバレージを提供するアクセスポイントによってサービスされ得るが、一方、アクセス端末は、他の位置では、より小規模のカバレージを提供するアクセスポイントによってサービスされ得る。いくつかの態様では、より小さいカバレージノードは、(たとえば、よりロバストなユーザエクスペリエンスのために)漸進的なキャパシティ増大、屋内カバレージ、および異なるサービスを提供するために使用され得る。
【００８７】
本明細書の記載において、比較的大きいエリアにわたるカバレージを提供するノード(たとえば、アクセスポイント)は、マクロアクセスポイントと呼ばれることがあり、比較的小さいエリア(たとえば、住宅)にわたるカバレージを提供するノードは、スモールセルと呼ばれることがある。本明細書の教示は、他のタイプのカバレージエリアに関連するノードに適用可能であり得ることが理解されるべきである。たとえば、スモールセルは、マクロエリアよりも小さいエリアにわたるカバレージ(たとえば、商業ビル内のカバレージ)を提供し得る。様々な適用例で、マクロアクセスポイント、スモールセル、または他のアクセスポイントタイプのノードに言及するために、他の用語が使用され得る。たとえば、マクロアクセスポイントは、アクセスノード、基地局、アクセスポイント、eNodeB、マクロセルなどに構成され得、またはそれらと呼ばれ得る。いくつかの例では、ノードは、1つまたは複数のセルまたはセクタに関連付けられ得る(たとえば、それらと呼ばれ得、またはそれらに分割され得る)。
【００８８】
図6は、本明細書の教示が実施され得る、何人かのユーザをサポートするように構成されたワイヤレス通信システム600を示す。システム600は、たとえば、マクロセル602A〜602Gなどの、複数のセル602のための通信を提供し、各セルは、対応するアクセスポイント604(たとえば、アクセスポイント604A〜604G)によってサービスされている。図6に示すように、アクセス端末606(たとえば、アクセス端末606A〜606L)は、時間の経過とともにシステム全体にわたって様々な位置に分散され得る。各アクセス端末606は、たとえば、アクセス端末606がアクティブであるかどうかと、それがソフトハンドオフにあるかどうかとに応じて、所与の瞬間において順方向リンク(FL)および/または逆方向リンク(RL)上の1つまたは複数のアクセスポイント604と通信し得る。ワイヤレス通信システム600は、広い地理的領域にわたってサービスを提供し得る。たとえば、マクロセル602A〜602Gは、農村環境において近所または数マイル内の数ブロックをカバーし得る。一例では、アクセスポイント604、またはアクセス端末(たとえば、アクセス端末606A、606H、606J)のうちのいくつかは、スモールセル106、および/または(図2に記載のように)その1つもしくは構成要素、または(たとえば、図3および図4A〜図4C)に記載のように)それに関連付けられた機能を含み得る。さらに、この点について、アクセス端末606A、606H、および/または606Jは、図2を参照して上記で説明したように、受信した測定報告に基づいて動作チャネルを選択することを決定するため、アクティブおよび/またはアイドルモードUEにハンドオーバ/再選択させるためにアクティブおよび/またはアイドルモード通信パラメータを変更するため、選択された動作チャネルに切り替えるため、などのために動作可能な通信構成要素221を含み得る。
【００８９】
図7は、本明細書に記載の1つまたは複数の態様に従って動作する1つまたは複数のスモールセルがネットワーク環境内に展開された通信システム700の一例を示す。具体的には、システム700は、比較的小規模なネットワーク環境内(たとえば、1つまたは複数のユーザ住宅730内)に設置された複数のスモールセル(たとえば、スモールセル710Aおよび710B)を含む。スモールセル710Aおよび/または710Bは、スモールセル106を含み得、したがって、(図3および図4A〜図4Cにおいて説明したように)それに関連付けられた機能を実行するための(図2において説明した)その構成要素のうちの1つまたは複数を含み得る。さらに、この点について、スモールセル710Aおよび/または710Bは、図2、図3、および図4A〜図4Cを参照して上記で説明したように、受信した測定報告に基づいて動作チャネルを選択することを決定するため、アクティブおよび/またはアイドルモードUEにハンドオーバ/再選択させるためにアクティブおよび/またはアイドルモード通信パラメータを変更するため、選択された動作チャネルに切り替えるため、などのために動作可能な通信構成要素221を含み得る。
【００９０】
各スモールセル(たとえば、スモールセル710Aおよび710B)は、DSLルータ、ケーブルモデム、ワイヤレスリンク、または他の接続手段(図示せず)を介して、ワイドエリアネットワーク740(たとえば、インターネット)および携帯電話事業者コアネットワーク750に結合され得る。以下で説明するように、各スモールセル(たとえば、スモールセル710Aおよび710B)は、関連するアクセス端末(たとえば、アクセス端末720A)と、オプションでは、他の(ハイブリッドまたは異種の)アクセス端末(たとえば、アクセス端末720B)とにサービスするように構成され得る。言い換えれば、スモールセル(たとえば、スモールセル710Aおよび710B)へのアクセスは、制限される可能性があり、それによって、所与のアクセス端末は、専用(たとえば、ホーム)スモールセルのセットによってサービスされ得るが、任意の非専用スモールセル(たとえば、隣のスモールセル)によってサービスされない可能性がある。
【００９１】
一例では、スモールセル710のオーナは、携帯電話事業者コアネットワーク750を介して提供される、たとえば、3Gモバイルサービスなどのモバイルサービスに加入し得る。加えて、アクセス端末720は、マクロ環境とより小規模の(たとえば、住宅)ネットワーク環境の両方で動作することができ得る。言い換えれば、アクセス端末720の現在の位置に応じて、アクセス端末720は、携帯電話事業者コアネットワーク750に関連するマクロセルアクセスポイント760によって、またはスモールセル710のセット(たとえば、対応するユーザの住宅730内にあるスモールセル710Aおよび710B)のうちのいずれか1つによってサービスされ得る。たとえば、加入者が加入者の自宅の外にいるとき、加入者は、標準的なマクロアクセスポイント(たとえば、アクセスポイント760)によってサービスされ、加入者が自宅にいるとき、加入者は、スモールセル(たとえば、スモールセル710A)によってサービスされる。ここで、スモールセル710は、レガシーアクセス端末720と後方互換性がある可能性がある。
【００９２】
スモールセル710は、単一の周波数で、または代替では、複数の周波数で展開され得る。特定の構成に応じて、単一の周波数または複数の周波数のうちの1つもしくは複数が、マクロアクセスポイント(たとえば、アクセスポイント760)によって使用される1つまたは複数の周波数と重複し得る。
【００９３】
いくつかの態様では、アクセス端末720は、そのような接続が可能であるときはいつも、好ましいスモールセル(たとえば、アクセス端末720のホームスモールセル)に接続するように構成され得る。たとえば、アクセス端末720Aがユーザの住宅730内にあるときはいつでも、アクセス端末720Aは、ホームスモールセル710Aまたは710Bとだけ通信するのが望ましい場合がある。
【００９４】
いくつかの態様では、アクセス端末720がマクロセルラーネットワーク750内で動作するが、(たとえば、好ましいローミングリスト内で定義されるような)その最も好ましいネットワーク上に存在していない場合、アクセス端末720は、ベターシステム再選択(BSR:better system reselection)手順を使用して最も好ましいネットワーク(たとえば、好ましいスモールセル710)を探索し続け得、それは、より良いシステムが現在利用可能であるかどうかを決定し、続いてそのような好ましいシステムを取得するために、利用可能なシステムの定期的な走査を含み得る。アクセス端末720は、特定の帯域およびチャネルの探索を制限し得る。たとえば、スモールセルのための1つまたは複数の動作チャネルが定義され得、それによって、領域内のすべてのスモールセル(または、すべての制限されたスモールセル)は、動作チャネル上で動作する。最も好ましいシステムの探索は、定期的に繰り返され得る。好ましいスモールセル710の発見に際し、アクセス端末720は、スモールセル710を選択肢、そのカバレージエリア内にあるときに使用するためにそれを登録する。
【００９５】
スモールセルへのアクセスは、いくつかの態様では制限され得る。たとえば、所与のスモールセルは、いくつかのアクセス端末にいくつかのサービスを提供することしかできない。いわゆる制限された(閉鎖的な)アクセスを有する展開では、所与のアクセス端末は、マクロセルモバイルネットワークおよびスモールセルの定義されたセット(たとえば、対応するユーザ住宅730内に存在するスモールセル710)によってのみサービスされ得る。いくつかの例では、アクセスポイントは、少なくとも1つのノード(たとえば、アクセス端末)のために、シグナリング、データアクセス、登録、ページング、またはサービスのうちの少なくとも1つを提供しないように制限され得る。
【００９６】
いくつかの態様では、制限されたスモールセル(限定加入者グループホームNodeBと呼ばれることもある)が、アクセス端末の制限されたプロビジョニングされたセットにサービスを提供するものである。このセットは、必要に応じて、一時的または永続的に拡張され得る。いくつかの態様では、限定加入者グループ(CSG)は、アクセス端末の共通アクセス制御リストを共有するアクセスポイント(たとえば、スモールセル)のセットとして定義され得る。
【００９７】
様々な関係は、したがって、所与のスモールセルと所与のアクセス端末との間に存在し得る。たとえば、アクセス端末の観点から、オープンスモールセルは、アクセスが制限されていないスモールセルを指す場合がある(たとえば、スモールセルは、どんなアクセス端末に対するアクセスも可能にする)。制限スモールセルは、何らかの方式で制限された(たとえば、アクセスおよび/または登録に関して制限された)スモールセルを指す場合がある。ホームスモールセルは、アクセス端末がアクセスし動作することを許可されたスモールセルを指す場合がある(たとえば、1つまたは複数のアクセス端末の定義されたセットに永続的アクセスが提供される)。ハイブリッド(またはゲスト)スモールセルは、異なるアクセス端末が異なるレベルのサービスを提供されるスモールセルを指すことがある(たとえば、いくつかのアクセス端末は、部分的および/または一時的なアクセスを許可され得るが、他のアクセス端末は、完全なアクセスを許可され得る)。異種のスモールセルは、おそらく緊急事態(たとえば緊急-911呼)を除いて、アクセス端末がアクセスすること、または動作することを許可されないスモールセルを指す場合がある。
【００９８】
制御されたスモールセルの観点から、ホームアクセス端末は、アクセス端末のオーナの住宅内に設置された制限されたスモールセルにアクセスすることを許可されたアクセス端末を指すことがある(通常は、ホームアクセス端末は、スモールセルへの永続的なアクセスを有する)。ゲストアクセス端末は、制限された(たとえば、最終期限、使用時間、バイト、接続カウント、または何らかの他の基準に基づいて制限された)スモールセルへの一時的なアクセスを有するアクセス端末を指す場合がある。異種のアクセス端末は、たとえば、911番コールなどのおそらくは緊急的な状況を除いて、制限されたスモールセルにアクセスする許可を持たないアクセス端末(たとえば、制限されたスモールセルに登録される資格証明書または許可を持たないアクセス端末)を指すことがある。
【００９９】
便宜のために、本明細書の開示は、スモールセルの文脈で様々な機能を説明する。しかしながら、ピコアクセスポイントは、より大きいカバレージエリアのための同じまたは同様の機能を提供し得ることが理解されるべきである。たとえば、ピコアクセスポイントは制限される可能性があり、ホームピコアクセスポイントは所与のアクセス端末に対して定義され得るなどである。
【０１００】
本明細書の教示は、複数のワイヤレスアクセス端末のための通信を同時にサポートするワイヤレスマルチアクセス通信システムに用いられ得る。ここで、各端末は、順方向および逆方向のリンク上の送信を介して1つまたは複数のアクセスポイントと通信し得る。順方向リンク(またはダウンリンク)は、アクセスポイントはから端末への通信リンクを指し、逆方向リンク(またはアップリンク)は、端末からアクセスポイントへの通信を指す。この通信リンクは、単入力単出力システム、多入力多出力(MIMO)システム、または何らかの他のタイプのシステムを介して確立され得る。
【０１０１】
MIMOシステムは、データ伝送のための複数(NT)の送信アンテナと複数(NR)の受信アンテナとを用いる。NTの送信アンテナおよびNRの受信アンテナによって形成されたMIMOチャネルは、空間チャネルと呼ばれることもあるNSの独立したチャネルに分解され得、ここで、NS≦min{NT,NR}である。NSの独立したチャネルの各々は、次元に対応する。複数の送信および受信アンテナによって作成された追加の次元が利用される場合、MIMOシステムは、改善された性能(たとえば、より高いスループットおよび/またはより高い信頼性)を提供し得る。
【０１０２】
MIMOシステムは、時分割複信(TDD)と周波数分割複信(FDD)とをサポートし得る。TDDシステムでは、相反原理が逆方向チャネルからの順方向リンクチャネルの推定を可能にするように、順方向および逆方向リンク送信は、同じ周波数領域上にある。これにより、複数のアンテナがアクセスポイントにおいて利用可能であるとき、アクセスポイントは順方向リンク上で送信ビームフォーミング利得を抽出することが可能になる。
【０１０３】
図8は、いくつかのトラッキングエリア(802A、802B、および802C)(または、ルーティングエリアもしくはロケーションエリア)が定義されたカバレージマップ800の一例を示し、トラッキングエリアの各々は、いくつかのマクロカバレージエリア(804Aおよび804B)を含み得、マクロカバレージエリアのうちの1つまたは複数は、本明細書に記載の1つまたは複数の態様に従って動作する1つまたは複数のスモールセルによってサービスされる1つまたは複数のスモールセルカバレージエリア(806A、806B、806C、および806D)を含み得る。また、1つまたは複数のスモールセルカバレージエリアは、所与のマクロカバレージエリアの外側の所与のトラッキングエリア内に定義され得る。具体的には、トラッキングエリア802A、802B、および802Cに関連付けられたカバレージのエリアは、広い線によって描かれ、マクロカバレージエリア804Aおよび804Bは、より大きい六角形によって表される。述べたように、トラッキングエリア802A、802B、および802Cはまた、1つまたは複数のスモールセルカバレージエリア806A、806B、806C、および806Dを含み得る。この例では、スモールセルカバレージエリアの各々(たとえば、スモールセルカバレージエリア806Bおよび806C)は、1つまたは複数のマクロカバレージエリア(たとえば、マクロカバレージエリア804Aおよび804B)内にまたはそれらと重なって描かれている。しかしながら、スモールセルカバレージエリアのうちのいくつかまたはすべては、マクロカバレージエリア804内に存在しなくてもよいことが理解されるべきである。実際には、多数のスモールセルカバレージエリア(たとえば、スモールセルカバレージエリア806Aおよび806D)が、所与のトラッキングエリアまたはマクロカバレージエリア(たとえば、804A)内に定義され得る。一例では、スモールセルカバレージエリア806Bおよび806Cは、図7において上記で説明したスモールセル710Aなどのスモールセルによって提供され得る。この点について、スモールセル710Aはまた、図2、図3、および図4A〜図4Cを参照して上記で説明したように、受信した測定報告に基づいて動作チャネルを選択することを決定し、アクティブおよび/またはアイドルモードUEにハンドオーバ/再選択させるためにアクティブおよび/またはアイドルモード通信パラメータを変更し、選択された動作チャネルに切り替えるために動作可能な通信構成要素221を含み得る。
【０１０４】
図9は、本明細書に記載のように適合され得るサンプルの通信システム900のワイヤレスデバイス910(たとえば、スモールセル)およびワイヤレスデバイス950(たとえば、UE)の構成要素をより詳細に示す。一例では、ワイヤレスデバイス910は、スモールセル106を含み得、したがって、図3および図4A〜図4Cに示すものなどの特定の機能を実行するための図2に示すようなそれらに関連付けられた構成要素を含み得る。たとえば、ネットワーク監視構成要素222、チャネル選択構成要素224、UE移行構成要素226とそれらの機能は、上記で説明したように、図3中の方法300のブロック310〜316、図4A〜図4C中の方法400のブロック402〜440は、以下で説明するように、プロセッサ930内のプロセッサモジュールによって、メモリ932内に記憶されプロセッサ930によって実行されるコンピュータ実行可能コードまたは命令において、などで実装され得る。一例は、この点について示すように、図2、図3、図4A〜図4Cを参照し、上記で説明したように、eNB910は、プロセッサ930に結合され(たとえば、プロセッサ930と通信するまたはプロセッサ930によって実装される)、受信した測定報告に基づいて動作チャネルを選択することを決定する、アクティブおよび/またはアイドルモードUEにハンドオーバ/再選択させるためにアクティブおよび/またはアイドルモード通信パラメータを変更する、選択された動作チャネルに切り替える、などのために動作可能な通信構成要素221を含み得る。デバイス910では、いくつかのデータストリームのためのトラフィックデータは、データソース912から送信(TX)データプロセッサ914に提供される。各データストリームは、次いで、それぞれの送信アンテナを介して送信され得る。
【０１０５】
TXデータプロセッサ914は、符号化データを提供するために、各データストリームのためのトラフィックデータを、そのデータストリームのために選択された特定のコーディング方式に基づいて、フォーマット、コーディング、およびインターリーブする。各データストリームのコーディングされたデータは、OFDM技法を使用してパイロットデータと多重化され得る。パイロットデータは、典型的には、公知の方法で処理された公知のデータパターンであり、チャネル応答を推定するために受信機システムにおいて使用され得る。各データストリームのための多重化パイロットおよび符号化データは、次いで、変調シンボルを提供するために、そのデータストリームのために選択された特定の変調方式(たとえば、BPSK、QSPK、M-PSK、またはM-QAM)に基づいて変調される(たとえば、シンボルマッピングされる)。各データストリームのためのデータレート、コーディング、および変調は、プロセッサ930によって実行される命令によって決定され得る。データメモリ932が、プロセッサ930またはデバイス910の他の構成要素によって使用されるプログラムコード、データ、および他の情報を記憶することができる。
【０１０６】
すべてのデータストリームのための変調シンボルは、次いで、TX MIMOプロセッサ920に提供され、TX MIMOプロセッサ920は、変調シンボルを(たとえば、OFDMのために)さらに処理し得る。TX MIMOプロセッサ920は、次いで、NTのトランシーバ(XCVR)922A〜922TにNTの変調シンボルストリームを提供する。いくつかの態様では、TX MIMOプロセッサ920は、データストリームのシンボルと、そのシンボルがそこから送信されているアンテナとに、ビームフォーミング重みを適用する。
【０１０７】
各トランシーバ922は、1つまたは複数のアナログ信号を提供するために、それぞれのシンボルストリームを受信および処理し、MIMOチャネルを介する送信に適した変調信号を提供するために、アナログ信号をさらに調整する(たとえば、増幅、フィルタリング、およびアップコンバートする)。トランシーバ922A〜922TからのNTの変調信号は、次いで、それぞれ、NTのアンテナ924A〜924Tから送信される。たとえば、トランシーバ922A〜922T、または関連する受信機部分は、上記の方法400において説明したプロセスを実装し得る。
【０１０８】
デバイス950において、送信された変調信号は、NRのアンテナ952A〜952Rによって受信され、各アンテナ952からの受信信号は、それぞれのトランシーバ(XCVR)954A〜954Rに提供される。各トランシーバ954は、それぞれの受信信号を調整(たとえば、フィルタリング、増幅、およびダウンコンバート)し、調整された信号をデジタル化してサンプルを与え、さらにそのサンプルを処理して対応する「受信」シンボルストリームを与える。
【０１０９】
受信(RX)データプロセッサ960は、次いで、NTの「検出」シンボルストリームを提供するために、特定の受信機処理技術に基づいて、NRのトランシーバ954からのNRの受信シンボルストリームを受信し、処理する。次いで、RXデータプロセッサ960は、各被検出シンボルストリームを復調し、デインターリーブし、復号して、データストリームのトラフィックデータを再生する。RXデータプロセッサ960による処理は、デバイス910におけるTX MIMOプロセッサ920およびTXデータプロセッサ914によって実行される処理に対して相補的である。
【０１１０】
プロセッサ970は、どのプリコーディング行列を使用するのか(以下で説明する)を定期的に決定する。プロセッサ970は、行列インデックス部分およびランク値部分を含む逆方向リンクメッセージを編成する。データメモリ972は、デバイス950のプロセッサ970または他の構成要素によって使用されるプログラムコード、データ、および他の情報を記憶し得る。
【０１１１】
逆方向リンクメッセージは、通信リンクおよび/または受信データストリームに関する様々なタイプの情報を備え得る。逆方向リンクメッセージは、次いで、TXデータプロセッサ938によって処理され、TXデータプロセッサ938はまた、変調器980によって変調され、トランシーバ954A〜954Rによって調整され、デバイス910に送信し戻された、データ源936からのいくつかのデータストリームのためのトラフィックデータを受信する。
【０１１２】
デバイス910において、デバイス950からの変調信号は、デバイス950によって送信された逆方向リンクメッセージを抽出するために、アンテナ924によって受信され、トランシーバ922によって調整され、復調器(DEMOD)940によって復調され、RXデータプロセッサ942によって処理される。プロセッサ930は、次いで、どのプリコーディング行列がビームフォーミング重みを決定するために使用されるのかを決定し、次いで、抽出されたメッセージを処理する。
【０１１３】
各デバイス910および950について、説明した構成要素のうちの2つ以上の機能は、単一の構成要素によって提供され得ることが理解されるであろう。また、図9において示し、上述した様々な通信構成要素は、本明細書で教示する通信適応を実行するように、必要に応じてさらに構成される場合があることも認識されよう。たとえば、プロセッサ930/970は、本明細書で教示する通信適応を実行するために、メモリ932/972、および/またはそれぞれのデバイス910/950の他の構成要素と協働することができる。
【０１１４】
図10は、一連の相互関係のある機能モジュールとして表された例示的なアクセスポイント装置1000を示す。ダウンリンク品質メトリック、アップリンク品質メトリック、またはそれらの組合せのうちの少なくとも1つに少なくとも部分的に基づいて、スモールセルにおける異なる動作チャネルを選択することを決定するためのモジュール1002は、本明細書で説明したように、少なくともいくつかの態様では、たとえば、処理システムまたは通信デバイス(たとえば、受信機、トランシーバなど)に対応し得る。異なる動作チャネルを選択することを決定することに少なくとも部分的に基づいて、スモールセルによってサービスされる1つまたは複数の接続モードUEを1つまたは複数の隣接セルへハンドオーバさせるためのモジュール1004は、本明細書で説明したように、少なくともいくつかの態様では、たとえば、処理システムまたは通信デバイス(たとえば、受信機、トランシーバなど)に対応し得る。1つまたは複数のアイドルモードUEに1つまたは複数の隣接セルへ再選択させるために、スモールセルにキャンプする1つまたは複数のアイドルモードUEに設定された1つまたは複数のパラメータを変更するためのモジュール1006は、本明細書で説明したように、少なくともいくつかの態様では、たとえば、処理システムまたは通信デバイス(たとえば、受信機、トランシーバなど)に対応し得る。少なくとも、1つまたは複数の接続モードUEが1つまたは複数の隣接セルへハンドオーバされるとき、異なる動作チャネルを使用するように切り替えるためのモジュール1008は、本明細書で説明したように、少なくともいくつかの態様では、たとえば、処理システムまたは通信デバイス(たとえば、受信機、トランシーバなど)に対応し得る。
【０１１５】
図10のモジュールの機能は、本明細書の教示に一致する様々な方法で実装され得る。いくつかの態様では、これらのモジュールの機能は、1つまたは複数の電気的構成要素として実装され得る。いくつかの態様では、これらのブロックの機能は、1つまたは複数のプロセッサ構成要素を含む処理システムとして実装され得る。いくつかの態様では、これらのモジュールの機能は、たとえば、1つまたは複数の集積回路(たとえば、ASIC)の少なくとも一部を使用して実装され得る。本明細書で論じたように、集積回路は、プロセッサ、ソフトウェア、他の関連する構成要素、またはそれらの何らかの組合せを含み得る。したがって、異なるモジュールの機能は、たとえば、集積回路の異なるサブセットとして、ソフトウェアモジュールのセットの異なるサブセットとして、またはそれらの組合せとして実装され得る。また、(たとえば、集積回路の、および/またはソフトウェアモジュールのセットの)所与のサブセットが、2つ以上のモジュールのために機能の少なくとも一部を提供する場合があることも認識されたい。
【０１１６】
加えて、図10によって表された構成要素および機能、ならびに本明細書に記載の他の構成要素および機能は、任意の適切な手段を用いて実装され得る。そのような手段はまた、少なくとも部分的に、本明細書で教示するように対応する構造を使用して実装され得る。たとえば、図10の構成要素の「ためのモジュール」と併せて上記で説明した構成要素は、同様に指定された機能の「ための手段」に対応し得る。したがって、いくつかの態様では、そのような手段のうちの1つまたは複数は、本明細書で教示したようなプロセッサ構成要素、集積回路、または他の適切な構造のうちの1つまたは複数を使用して実装され得る。
【０１１７】
いくつかの態様では、装置または装置の任意の構成要素は、本明細書で教示したような機能を提供するように構成(または動作可能にもしくは適用)され得る。これは、たとえば、機能を提供するように装置もしくは構成要素を製造する(たとえば、作製する)ことによって、機能を提供するように装置もしくは構成要素をプログラミングすることによって、または何らかの他の適切な実装技法の使用を通して、達成され得る。一例として、集積回路は、必要な機能を提供するように製造され得る。別の例として、集積回路は、必要な機能をサポートするように製造され得、次いで、必要な機能を提供するように(たとえば、プログラミングによって)構成され得る。さらに別の例として、必要な機能を提供するために、プロセッサ回路がコードを実行することができる。
【０１１８】
「第1の」、「第2の」などの指示を使用する本明細書での要素への任意の参照は、一般にこれらの要素の量または順序を限定しないことが理解されるべきである。むしろ、これらの指示は、本明細書では、2つ以上の要素または要素のインスタンス間を区別する便利な方法として使用されていることがある。したがって、第1の要素および第2の要素への参照は、そこで2つの要素しか利用できないこと、または何らかの形で第1の要素が第2の要素に先行しなければならないことを意味しない。また、特に明記しない限り、要素のセットは、1つまたは複数の要素を備え得る。さらに、本説明または特許請求の範囲において用いられる「A、B、またはCのうちの少なくとも1つ」または「A、B、またはCのうちの1つまたは複数」または「A、B、およびCからなる群のうちの少なくとも1つ」という形の用語は、「AまたはBまたはCまたはこれらの要素の任意の組合せ」を意味する。たとえば、この用語は、A、またはB、またはC、またはAおよびB、またはAおよびC、またはAおよびBおよびC、または2A、または2B、または2Cなどを含むことができる。
【０１１９】
当業者は、情報および信号が様々な異なる技術および技法のいずれかを使用して表され得ることを理解するであろう。たとえば、上記の説明全体にわたって参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表される場合がある。
【０１２０】
さらに、当業者は、本明細書で開示された態様に関連して説明した様々な例示的な論理ブロック、モジュール、回路、およびアルゴリズムステップが、電子ハードウェア、コンピュータソフトウェア、または両方の組合せとして実装され得ることを理解するであろう。ハードウェアおよびソフトウェアのこの互換性を明確に示すために、様々な例示的な構成要素、ブロック、モジュール、回路、およびステップは、それらの機能の観点から一般的に上記で説明されている。そのような機能性がハードウェアとして実現されるか、またはソフトウェアとして実現されるかは、具体的な適用例およびシステム全体に課される設計制約によって決まる。当業者は、説明した機能を各特定の用途のために様々な方法で実装することができるが、そのような実装の決定は、本開示の範囲からの逸脱を引き起こすものとして解釈されるべきではない。
【０１２１】
本明細書で開示された態様に関連して説明した方法、シーケンス、および/またはアルゴリズムは、直接ハードウェアにおいて、プロセッサによって実行されるソフトウェアモジュールにおいて、またはそれら2つの組合せにおいて具体化され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体内に存在することができる。例示的な記憶媒体は、プロセッサが記憶媒体から情報を読み取ることができ、記憶媒体に情報を書き込むことができるように、プロセッサに結合される。代替では、記憶媒体は、プロセッサと一体であり得る。
【０１２２】
したがって、本開示の態様は、様々な無線アクセス技術からの信号を処理するための本明細書に記載の方法を具体化するコンピュータ可読媒体を含み得る。したがって、本開示は、図示された例に限定されない。
【０１２３】
前述の開示は、例示的な態様を示しているが、様々な変更および修正が、添付の特許請求の範囲によって定義される本開示の範囲から逸脱することなく、本明細書中でなされ得ることに留意されたい。本明細書に記載の開示の態様による方法クレームの機能、ステップ、および/またはアクションは、任意の特定の順序で実行される必要はない。さらに、特定の態様は、単数形で記載または特許請求されていることがあるが、単数形への限定が明示的に述べたれていない限り、複数形が企図される。
【符号の説明】
【０１２４】
100  ワイヤレス通信システム
101  高層/マルチユニットアパートまたはオフィスビル、建物
102  マクロ基地局
104  スモールセル
106  スモールセル
110  スモールセル
114  UE
204  プロセッサ
206  メモリ
208  ハウジング
210  送信機
212  受信機
214  トランシーバ
216  アンテナ
218  信号検出器
220  デジタル信号プロセッサ(DSP)
221  通信構成要素
222  ネットワーク監視構成要素
224  チャネル選択構成要素
226  UE移行構成要素
228  バスシステム
502  装置
504  装置
506  装置
508  ネットワークエンティティ、通信デバイス
510  送信機
512  受信機
514  通信デバイス
516  送信機
518  受信機
520  通信デバイス
522  送信機
524  受信機
526  通信デバイス
528  送信機
530  受信機
532  処理システム
534  処理システム
536  処理システム
538  メモリデバイス
540  メモリデバイス
542  メモリデバイス
544  ユーザインターフェースデバイス
546  ユーザインターフェースデバイス
548  ユーザインターフェースデバイス
600  ワイヤレス通信システム
602  セル
602A〜602G  マクロセル
604A〜604G  アクセスポイント
606  アクセス端末
606A〜606L  アクセス端末
700  通信システム
710A  スモールセル
710B  スモールセル
720  アクセス端末
720A  アクセス端末
720B  アクセス端末
730  ユーザ住宅
740  ワイドエリアネットワーク
750  携帯電話事業者コアネットワーク、マクロセルラーネットワーク
760  マクロセルアクセスポイント
800  カバレージマップ
802A  トラッキングエリア
802B  トラッキングエリア
802C  トラッキングエリア
804A  マクロカバレージエリア
804B  マクロカバレージエリア
806A  スモールセルカバレージエリア
806B  スモールセルカバレージエリア
806C  スモールセルカバレージエリア
806D  スモールセルカバレージエリア
900  通信システム
910  ワイヤレスデバイス
912  データソース
914  送信(TX)データプロセッサ
920  TX MIMOプロセッサ
922A〜922T  トランシーバ(XCVR)
924A〜924T  アンテナ
930  プロセッサ
932  データメモリ
936  データ源
938  TXデータプロセッサ
940  復調器(DEMOD)
942  アンテナ
950  ワイヤレスデバイス
952A〜952R  アンテナ
954A〜954R  トランシーバ(XCVR)
960  RXデータプロセッサ
970  プロセッサ
972  データメモリ
980  変調器
【図１】
0006549155.tif 000003
【図２】
0006549155.tif 000004
【図３】
0006549155.tif 000005
【図４Ａ】
0006549155.tif 000006
【図４Ｂ】
0006549155.tif 000007
【図４Ｃ】
0006549155.tif 000008
【図５】
0006549155.tif 000009
【図６】
0006549155.tif 000010
【図７】
0006549155.tif 000011
【図８】
0006549155.tif 000012
【図９】
0006549155.tif 000013
【図１０】
0006549155.tif 000014